(57)【要約】【課題】ぼけ感を抑えつつ、画像に含まれるノイズを低減する。【解決手段】複数のノイズ低減処理部（５０＿１〜５０＿Ｎ）と、画像信号に含まれるノイズ量を検出するノイズ量検出部３０と、ノイズ量検出部３０が検出したノイズ量に基づいて、ノイズ低減処理部（５０＿１〜５０＿Ｎ）毎にノイズ低減するか否かを判定する判定処理部４０と、を備え、判定処理部４０によりノイズを低減すると判定されたノイズ低減処理部は、ノイズ量検出部３０が検出したノイズ量に基づいて、前段のノイズ低減処理部が処理した信号に含まれるノイズを低減し、判定処理部４０によりノイズを低減しないと判定されたノイズ低減処理部は、前段のノイズ低減処理部が処理した信号に含まれるノイズを低減しないことを特徴とする。【選択図】図３
2014225716.tif 000002
【特許請求の範囲】
【請求項１】
複数のノイズ低減処理部と、
画像信号に含まれるノイズ量を検出するノイズ量検出部と、
前記ノイズ量検出部が検出したノイズ量に基づいて、前記ノイズ低減処理部毎にノイズ低減するか否かを判定する判定処理部と、
を備え、
前記判定処理部によりノイズを低減すると判定されたノイズ低減処理部は、前記ノイズ量検出部が検出したノイズ量に基づいて、前段の前記ノイズ低減処理部が処理した信号に含まれるノイズを低減し、
前記判定処理部によりノイズを低減しないと判定されたノイズ低減処理部は、前段の前記ノイズ低減処理部が処理した信号に含まれるノイズを低減しないことを特徴とする雑音低減装置。
【請求項２】
前記判定処理部は、前記ノイズ低減処理部毎に予め決められた閾値を保持し、前記ノイズ量検出部が検出したノイズ量が、前記ノイズ低減処理部に関連付けられた閾値以上の場合、該ノイズ低減処理部についてノイズ低減を行うと判定することを特徴とする請求項１に記載の雑音低減装置。
【請求項３】
前記複数のノイズ低減処理部は、直列に接続され、
前記閾値は、前記ノイズ低減処理部の接続の順番に応じて、設定されていることを特徴とする請求項２に記載の雑音低減装置。
【請求項４】
前記閾値は、前記ノイズ低減処理部の接続の順番が大きくなるほど、大きくなるように設定されていることを特徴とする請求項３に記載の雑音低減装置。
【請求項５】
前記ノイズ低減処理部毎に予め決められた閾値は、上閾値と該上閾値より低い下閾値とがあり、
前記判定処理部は、前記ノイズ低減処理部についてノイズ低減を行うか否かの判定を行う際の閾値として前記上閾値が用いられている場合に、前記ノイズ量が前記ノイズ低減処理部に関連付けられた上閾値以上の場合、次に該ノイズ低減処理部についてノイズ低減を行うか否かの判定を行う際に、前記閾値として前記下閾値を用いることを特徴とする請求項２から４のいずれか一項に記載の雑音低減装置。
【請求項６】
前記判定処理部は、前記ノイズ低減処理部についてノイズ低減を行うか否かの判定を行う際の閾値として前記下閾値が用いられている場合に、前記ノイズ量が前記ノイズ低減処理部に関連付けられた下閾値未満の場合、次に該ノイズ低減処理部についてノイズ低減を行うか否かの判定を行う際に、前記閾値として前記上閾値を用いることを特徴とする請求項５に記載の雑音低減装置。
【請求項７】
前記ノイズ低減処理部は、
前記ノイズ量検出部が検出したノイズ量に基づいて、前記前段のノイズ低減処理部が処理した信号に含まれるノイズを低減するノイズ低減部と、
前記判定処理部がした判定結果に基づいて、前記ノイズ低減部がノイズを低減する前のノイズ低減前信号と前記ノイズ低減部がノイズを低減した後のノイズ低減後信号のうちいずれか一つの信号を選択する信号選択部と、
を備えることを特徴とする請求項１から請求項６のいずれか一項に記載の雑音低減装置。
【請求項８】
前記ノイズ低減処理部は、
前記判定処理部がした判定結果に基づいて、前記ノイズ量検出部が検出したノイズ量を示す信号と０を示す信号のうちいずれか一つの信号を選択するノイズ量選択部と、
前記ノイズ量選択部が選択した信号に基づいて、前記前段のノイズ低減処理部が処理した信号に対してノイズ低減するノイズ低減部と、
を備えることを特徴とする請求項１から請求項６のいずれか一項に雑音低減装置。
【請求項９】
請求項１に記載の雑音低減装置を備えることを特徴とする表示装置。
【請求項１０】
複数のノイズ低減処理部を備える雑音低減装置が実行する雑音低減方法であって、
画像信号に含まれるノイズ量を検出するノイズ量検出手順と、
前記ノイズ量検出手順により検出されたノイズ量に基づいて、前記ノイズ低減処理部毎にノイズ低減するか否かを判定する判定処理手順と、
前記判定処理手順によりノイズを低減すると判定されたノイズ低減処理部は、前記ノイズ量検出手順により検出されたノイズ量に基づいて、前段の前記ノイズ低減処理部が処理した信号に含まれるノイズを低減し、
前記判定処理手順によりノイズを低減しないと判定されたノイズ低減処理部は、前段の前記ノイズ低減処理部が処理した信号に含まれるノイズを低減しない手順と、
を有することを特徴とする雑音低減方法。
【請求項１１】
複数のノイズ低減処理部を備える雑音低減装置のコンピュータに、
画像信号に含まれるノイズ量を検出するノイズ量検出ステップと、
前記ノイズ量検出ステップにより検出されたノイズ量に基づいて、前記ノイズ低減処理部毎にノイズ低減するか否かを判定する判定処理ステップと、
前記判定処理ステップによりノイズを低減すると判定されたノイズ低減処理部は、前記ノイズ量検出ステップにより検出されたノイズ量に基づいて、前段の前記ノイズ低減処理部が処理した信号に含まれるノイズを低減し、
前記判定処理ステップによりノイズを低減しないと判定されたノイズ低減処理部は、前段の前記ノイズ低減処理部が処理した信号に含まれるノイズを低減しないステップと、
を実行させるための雑音低減プログラム。
【発明の詳細な説明】
【技術分野】
【０００１】
本発明は、雑音低減装置、表示装置、雑音低減方法および雑音低減プログラムに関する。
【背景技術】
【０００２】
従来から、映像信号を伝送する際、伝送雑音などの雑音成分が当該映像信号に混入することが知られている。例えば、アナログテレビジョン信号の放送を受信する際に放送波の電界強度が弱いと、受信信号は雑音成分の多い映像信号になる。また、デジタル放送でも過去に録画したアナログ映像をデジタル化し再放送することも多く、その場合受信信号は、雑音成分の多い映像信号となる。
【０００３】
映像信号に混入した雑音を低減する方法について、例えば、特許文献１では、雑音低減回路が映像信号の垂直ブランキング期間の画像信号の無いライン部分の雑音成分を検出して、その雑音成分の電圧を基にして映像信号の雑音を低減する方法が示されている。具体的には、この雑音低減回路は、画像信号の電圧とその画像信号の電圧にメディアンフィルタを掛けた後の画像信号の電圧とを比較し、画像信号の電圧がフィルタ後の電圧よりも大きい場合、雑音低減回路は、画像信号の電圧から上記雑音成分の電圧を減算した電圧を外部へ出力する。一方、画像信号の電圧がフィルタ後の電圧よりも小さい場合、雑音低減回路は、画像信号の電圧に上記雑音成分の電圧を加算した電圧を外部へ出力することが示されている。
【先行技術文献】
【特許文献】
【０００４】
【特許文献１】特開平７−２５０２６４号公報
【発明の概要】
【発明が解決しようとする課題】
【０００５】
ここで、特許文献１の技術を用いて、例えば、雑音低減装置が、フレーム間で雑音を低減し、更にフレーム内の水平方向に雑音を低減し、更にフレーム内の垂直方向に雑音を低減した場合について考える。この場合、雑音低減装置は、画像に対して合計３回の雑音を低減するが、この３回の雑音低減によっても、ノイズの多い画像ではノイズを消し去る事ができない可能性がある。
【０００６】
雑音を低減する回数を更に増やした場合、雑音を低減する回数を増やす前よりも画像に含まれるノイズを低減することができる。しかし、元々ノイズの少ない画像に対して、同じように雑音を低減する回数を増やして雑音を低減すると、画像にぼけ感がでてしまうという問題がある。
【０００７】
そこで本発明は、上記問題に鑑みてなされたものであり、ぼけ感を抑えつつ、画像に含まれるノイズを低減することを可能とする雑音低減装置、表示装置、雑音低減方法および雑音低減プログラムを提供することを課題とする。
【課題を解決するための手段】
【０００８】
（１）本発明は前記事情に鑑みなされたもので、本発明の一態様は、複数のノイズ低減処理部と、画像信号に含まれるノイズ量を検出するノイズ量検出部と、前記ノイズ量検出部が検出したノイズ量に基づいて、前記ノイズ低減処理部毎にノイズ低減するか否かを判定する判定処理部と、を備え、前記判定処理部によりノイズを低減すると判定されたノイズ低減処理部は、前記ノイズ量検出部が検出したノイズ量に基づいて、前段の前記ノイズ低減処理部が処理した信号に含まれるノイズを低減し、前記判定処理部によりノイズを低減しないと判定されたノイズ低減処理部は、前段の前記ノイズ低減処理部が処理した信号に含まれるノイズを低減しないことを特徴とする雑音低減装置である。
【０００９】
（２）本発明の一態様は、上記に記載の雑音低減装置において、前記判定処理部は、前記ノイズ低減処理部毎に予め決められた閾値を保持し、前記ノイズ量検出部が検出したノイズ量が、前記ノイズ低減処理部に関連付けられた閾値以上の場合、該ノイズ低減処理部についてノイズ低減を行うと判定することを特徴とする。
【００１０】
（３）本発明の一態様は、上記に記載の雑音低減装置において、前記複数のノイズ低減処理部は、直列に接続され、前記閾値は、前記ノイズ低減処理部の接続の順番に応じて、設定されていることを特徴とする。
【００１１】
（４）本発明の一態様は、上記に記載の雑音低減装置において、前記閾値は、前記ノイズ低減処理部の接続の順番が大きくなるほど、大きくなるように設定されていることを特徴とする。
【００１２】
（５）本発明の一態様は、上記に記載の雑音低減装置において、前記ノイズ低減処理部毎に予め決められた閾値は、上閾値と該上閾値より低い下閾値とがあり、前記判定処理部は、前記ノイズ低減処理部についてノイズ低減を行うか否かの判定を行う際の閾値として前記上閾値が用いられている場合に、前記ノイズ量が前記ノイズ低減処理部に関連付けられた上閾値以上の場合、次に該ノイズ低減処理部についてノイズ低減を行うか否かの判定を行う際に、前記閾値として前記下閾値を用いることを特徴とする。
【００１３】
（６）本発明の一態様は、上記に記載の雑音低減装置において、前記判定処理部は、前記ノイズ低減処理部についてノイズ低減を行うか否かの判定を行う際の閾値として前記下閾値が用いられている場合に、前記ノイズ量が前記ノイズ低減処理部に関連付けられた下閾値未満の場合、次に該ノイズ低減処理部についてノイズ低減を行うか否かの判定を行う際に、前記閾値として前記上閾値を用いることを特徴とする。
【００１４】
（７）本発明の一態様は、上記に記載の雑音低減装置において、前記ノイズ低減処理部は、前記前段のノイズ低減処理部が処理した信号に含まれるノイズを低減するノイズ低減部と、前記判定処理部がした判定結果に基づいて、前記ノイズ低減部がノイズを低減する前のノイズ低減前信号と前記ノイズ低減部がノイズを低減した後のノイズ低減後信号のうちいずれか一つの信号を選択する信号選択部と、を備えることを特徴とする。
【００１５】
（８）本発明の一態様は、上記に記載の雑音低減装置において、前記ノイズ低減処理部は、前記判定処理部がした判定結果に基づいて、前記ノイズ量検出部が検出したノイズ量を示す信号と０を示す信号のうちいずれか一つの信号を選択するノイズ量選択部と、前記ノイズ量選択部が選択した信号に基づいて、前記前段のノイズ低減処理部が処理した信号に対してノイズ低減するノイズ低減部と、を備えることを特徴とする。
【００１６】
（９）本発明の一態様は、上記に記載の画像処理装置を備えることを特徴とする表示装置である。
【００１７】
（１０）本発明の一態様は、複数のノイズ低減処理部を備える雑音低減装置が実行する雑音低減方法であって、画像信号に含まれるノイズ量を検出するノイズ量検出手順と、前記ノイズ量検出手順により検出されたノイズ量に基づいて、前記ノイズ低減処理部毎にノイズ低減するか否かを判定する判定処理手順と、前記判定処理手順によりノイズを低減すると判定されたノイズ低減処理部は、前記ノイズ量検出手順により検出されたノイズ量に基づいて、前段の前記ノイズ低減処理部が処理した信号に含まれるノイズを低減し、前記判定処理手順によりノイズを低減しないと判定されたノイズ低減処理部は、前段の前記ノイズ低減処理部が処理した信号に含まれるノイズを低減しない手順と、を有することを特徴とする雑音低減方法である。
【００１８】
（１１）本発明の一態様は、複数のノイズ低減処理部を備える雑音低減装置のコンピュータに、画像信号に含まれるノイズ量を検出するノイズ量検出ステップと、前記ノイズ量検出ステップにより検出されたノイズ量に基づいて、前記ノイズ低減処理部毎にノイズ低減するか否かを判定する判定処理ステップと、前記判定処理ステップによりノイズを低減すると判定されたノイズ低減処理部は、前記ノイズ量検出ステップにより検出されたノイズ量に基づいて、前段の前記ノイズ低減処理部が処理した信号に含まれるノイズを低減し、前記判定処理ステップによりノイズを低減しないと判定されたノイズ低減処理部は、前段の前記ノイズ低減処理部が処理した信号に含まれるノイズを低減しないステップと、を実行させるための雑音低減プログラムである。
【発明の効果】
【００１９】
本発明によれば、ぼけ感を抑えつつ、画像に含まれるノイズを低減することができる。
【図面の簡単な説明】
【００２０】
【図１】第１の実施形態における表示装置の概略ブロック図である。
【図２】第１の実施形態における液晶表示部の概略ブロック図である。
【図３】第１の実施形態における雑音低減部の概略ブロック図である。
【図４】第１の実施形態におけるノイズ量検出部の概略ブロック図である。
【図５】フレーム間ノイズ量検出部により読み出されるフレームについて説明するための図である。
【図６】フレーム間の輝度値差の平均ΔＹ＿Ｆの頻度分布の一例が示された図である。
【図７】フレーム内水平ノイズ量検出部による処理を説明するための図である。
【図８】フレーム内垂直ノイズ量検出部による処理を説明するための図である。
【図９】第１の実施形態における判定処理部の概略ブロック図の一例である。
【図１０】ノイズ低減処理部の段数が６段の場合（Ｎ＝６）において、ノイズ量αとノイズ低減させた回数との関係の一例を示した図である。
【図１１】ノイズ低減処理部の段数が６段（Ｎ＝６）の場合に、記憶部に記憶されている上閾値ＴＨ＿ｉの一例である。
【図１２】第１の実施形態における判定部の概略ブロック図の一例である。
【図１３】第１の実施形態における判定部による効果を説明するための図である。
【図１４】第１の実施形態におけるノイズ低減処理部の概略ブロック図である。
【図１５】フレーム間のノイズを低減する場合において、対象画素の輝度値が２つの比較画素の輝度値よりも小さいときの、ノイズ低減部のノイズ低減処理を説明するための図である。
【図１６】フレーム間のノイズを低減する場合において、対象画素の輝度値が２つの比較画素の輝度値よりも大きいときの、ノイズ低減部のノイズ低減処理を説明するための図である。
【図１７】第１の実施形態における表示装置の処理の流れを示したフローチャートである。
【図１８】図１７のステップＳ１０２の雑音低減処理の流れを示したフローチャートである。
【図１９】第２の実施形態における表示装置の概略ブロック図である。
【図２０】第２の実施形態における雑音低減部の概略ブロック図である。
【図２１】第２の実施形態におけるノイズ低減ユニットの概略ブロック図である。
【図２２】ノイズ低減処理ユニットの全段数が６（Ｍ＝６）の場合の、各ノイズ低減処理部におけるノイズ量検出部とノイズ低減部の処理の一例について説明するための図である。あ
【図２３】第２の実施形態において、図１７のステップＳ１０２の雑音低減処理の流れを示したフローチャートである。
【図２４】ノイズ低減処理部の全段数が６段かつノイズ量が中程度の場合において、第２の実施形態におけるノイズ低減処理の効果について説明するための図である。
【図２５】ノイズ低減処理部の全段数が６段かつノイズ量が多い場合において、第２の実施形態におけるノイズ低減処理の効果について説明するための図である。
【図２６】ノイズ低減処理部の全段数が６段かつノイズ量が少ない場合において、第２の実施形態におけるノイズ低減処理の効果について説明するための図である。
【図２７】第３の実施形態における表示装置の概略ブロック図である。
【図２８】第３の実施形態における雑音低減部の概略ブロック図である。
【図２９】第３の実施形態におけるノイズ量検出部の概略ブロック図である。
【図３０】第３の実施形態における判定処理部の概略ブロック図の一例である。
【図３１】第３の実施形態におけるノイズ低減処理部の概略ブロック図である。
【図３２】第３の実施形態において、図１７のステップＳ１０２の雑音低減処理の流れを示したフローチャートである。
【発明を実施するための形態】
【００２１】
＜第１の実施形態＞
以下、本発明の実施形態について、図面を参照して詳細に説明する。図１は、本発明の第１の実施形態における表示装置の概略ブロック図である。表示装置１０ａは、受信部１１と、雑音低減部１２ａと、画像調整部１３と、タイミング制御部１４と、液晶表示部２０とを備える。液晶表示部２０は、ソースドライバ部１５と、ゲートドライバ部１６と、液晶パネル部１７とを備える。
【００２２】
受信部１１は、一例として、不図示のアンテナから供給されたデジタルテレビジョン放送の複数チャネルの高周波信号を受信する。受信部１１は、受信した信号から希望のチャネルの高周波信号を抽出し、抽出した高周波信号をベースバンドの信号に変換し、変換したベースバンドの信号を所定のサンプリング周波数でデジタル信号へ変換する。
なお、受信部１１は、不図示のアンテナから供給されたアナログテレビジョン放送の複数チャネルの高周波信号を受信して、これをデジタル信号へ変換する機能を有するものであってもよい。
【００２３】
受信部１１は、変換されたデジタル信号からデジタルデータＭＰＥＧ（Ｍｏｖｉｎｇ  Ｐｉｃｔｕｒｅ  Ｅｘｐｅｒｔｓ  Ｇｒｏｕｐ）−２トランスポートストリーム（以下、「ＭＰＥＧ−２ＴＳ」と言う）信号を抽出する。
【００２４】
受信部１１は、ＭＰＥＧ−２ＴＳ信号からＴＳ（Ｔｒａｎｓｐｏｒｔ  Ｓｔｒｅａｍ、トランスポートストリーム）パケットを抽出し、映像信号および音声信号のデータを復号する。以下では、専ら映像信号の処理について説明をし、音声信号の処理については説明を省略する。
受信部１１は、復号した映像信号ＳＩＮを雑音低減部１２ａへ供給する。
ここで、映像信号ＳＩＮは、画像の主走査方向（横方向、水平方向）に隣接して並ぶ画素の輝度信号と、色差信号（Ｃｂ、Ｃｒ）とからなるインターレース信号である。
【００２５】
雑音低減部１２ａは、受信部１１から供給された映像信号ＳＩＮを受信する。雑音低減部１２ａは、後述する処理によって映像信号ＳＩＮから雑音を低減した雑音低減信号ＳＯＵＴを算出し、その雑音低減信号ＳＯＵＴを画像調整部１３へ供給する。
【００２６】
画像調整部１３は、雑音低減部１２ａから供給された雑音低減信号ＳＯＵＴをプログレッシブ信号に変換する。また、画像調整部１３は、変換後のプログレッシブ信号の画素数を、表示部の解像度に合わせて調整するスケーリング処理を行う。画像調整部１３は、スケーリング処理後の映像信号をＲＧＢ信号（Ｒｅｄ、Ｇｒｅｅｎ、Ｂｌｕｅのカラービデオ信号）に変換する。画像調整部１３は、ＲＧＢ信号をタイミング制御部１４と液晶表示部２０内のソースドライバ部１５とへ供給する。
【００２７】
なお、画像調整部１３は、不図示のアンテナから供給されるテレビジョン放送信号がプログレッシブ信号であれば、前述のインターレース信号からプログレッシブ信号への変換をしない。その場合、画像調整部１３は、雑音低減信号ＳＯＵＴの画素数を表示部の解像度に合わせて調整するスケーリング処理を行う。
【００２８】
タイミング制御部１４は、液晶パネル部１７に供給される映像データを平面上の画素に配分するためのクロック信号などを生成する。タイミング制御部１４は、液晶表示部２０内のソースドライバ部１５と、ゲートドライバ部１６へ、生成したクロック信号を供給する。
【００２９】
図２は、第１の実施形態における液晶表示部２０の概略ブロック図である。液晶表示部２０は、一例として、アクティブマトリクス型の表示装置である。液晶表示部２０は、マトリクス状に配された画素ＰＩＸを有する液晶パネル部１７と、ゲート線１８と、ソース線１９と、ゲート線１８を駆動するゲートドライバ部１６と、ソース線１９を駆動するソースドライバ部１５と、を備える。
【００３０】
ソースドライバ部１５は、画像調整部１３から供給されたＲＧＢ信号から液晶駆動用の階調化された電圧を生成する。ソースドライバ部１５は、ソース線１９ごとに、その階調化された電圧を、内部のホールド回路で保持する。
ソースドライバ部１５は、タイミング制御部１４から供給されたクロック信号を受信すると、画面の縦方向の配列に対して、クロック信号に同期して、階調化された電圧（ソース信号）を、液晶パネル部１７のソース線１９およびＴＦＴ（Ｔｈｉｎ  Ｆｉｌｍ  Ｔｒａｎｓｉｓｔｏｒ、薄膜トランジスタ）を介して、各画素ＰＩＸの不図示のサブ画素に供給する。
【００３１】
ゲートドライバ部１６は、タイミング制御部１４から供給されたクロック信号を受信する。ゲートドライバ部１６は、液晶パネル部１７のＴＦＴのゲート線１８を通じて画面のサブ画素の１行分に対して、クロック信号に同期して、所定の走査信号を各ＴＦＴのゲートに供給する。
【００３２】
液晶パネル部１７は、アレイ基板と対向基板と液晶とを備える。アレイ基板上のゲート線とデータ線との交点ごとに、ＴＦＴとＴＦＴのドレイン電極に接続されている画素電極と対向電極（対向基板上のストリップ電極により構成されている）とが１組ずつ配置されて、画素、特にサブ画素を構成している。また、画素電極と対向電極との間には、封入された液晶が存在する。また、液晶パネル部１７は、画素ごとに、３原色ＲＧＢ（Ｒｅｄ、Ｇｒｅｅｎ、Ｂｌｕｅ）に対応する３つのサブ画素（不図示）を有する。液晶パネル部１７は、そのサブ画素毎に１つずつのＴＦＴを有する。これらのサブ画素はそれぞれのスイッチング素子であるＴＦＴ（薄膜トランジスタ）を介してゲート線１８及びソース線１９に接続される。
【００３３】
ＴＦＴのゲート電極は、ゲートドライバ部１６から供給されたゲート信号を受信して、ゲート信号が例えばハイレベルの時、そのＴＦＴが選択されてオン状態となる。ＴＦＴのソース電極は、ソースドライバ部１５から供給されたソース信号を受信するから、これによって、ＴＦＴのドレイン電極に接続されている画素電極に階調化された電圧が出現する。
【００３４】
その階調化された電圧に応じて、液晶の配向が変化し、これによって液晶の光の透過度が変化する。その階調化された電圧がＴＦＴのドレイン電極に接続されている画素電極と対向電極との間の液晶部分により構成される液晶容量に保持されて、液晶の配向が維持される。また、次の信号がソース電極に到来するまで液晶の配向が維持され、その結果、液晶の光の透過度も維持される。
【００３５】
以上説明したようにして、液晶パネル部１７は、供給された映像データを階調表示する。なお、本実施形態では透過型の液晶パネルについて説明したが、これに限定されず反射型の液晶パネルを用いてもよい。
【００３６】
図３は、第１の実施形態における雑音低減部１２ａの構成を示す概略ブロック図である。雑音低減部１２ａは、ノイズ量検出部３０と、判定処理部４０と、ノイズ低減処理部５０＿１、…５０＿ＮまでのＮ個（Ｎは正の整数）のノイズ低減処理部５０＿ｉ（ｉは１からＮまでの整数）とを備える。ここで、Ｎはノイズ低減処理の段数を示す。
【００３７】
ノイズ量検出部３０は、受信部１１から入力された映像信号ＳＩＮのノイズ量を検出する。映像信号は、輝度信号および色差信号から成る。以後、輝度信号を例に雑音低減部１２ａの処理を説明する。
ノイズ量検出部３０は、検出した検出ノイズ量αを判定処理部４０と各ノイズ低減処理部５０＿ｉとへ出力する。ここで、検出ノイズ量αは、フレーム間に重畳するノイズ量であるフレーム間ノイズ量α＿Ｆ、フレーム内の水平方向に重畳するフレーム内水平ノイズ量α＿Ｈまたはフレーム内の垂直方向に重畳するフレーム内垂直ノイズ量α＿Ｖのいずれか一つである。
【００３８】
判定処理部４０は、ノイズ量検出部３０から入力されたノイズ量に基づいて、ノイズ低減処理部５０＿ｉ毎にノイズ低減処理を行うか否かを判定する。より詳細には、判定処理部４０は、ノイズ低減処理部５０＿ｉ毎に予め決められた閾値を保持し、ノイズ量検出部３０が検出したが、ノイズ低減処理部５０＿ｉに関連付けられた閾値以上の場合、該ノイズ低減処理部５０＿ｉについてノイズ低減を行うと判定する。判定処理部４０は、ノイズ低減処理部５０＿ｉ毎の判定結果Ｄ＿ｉを、対応するノイズ低減処理部５０＿ｉへ出力する。
【００３９】
ノイズ低減処理部５０＿ｉは、ノイズ量検出部３０が検出した検出ノイズ量αと判定処理部４０が判定した判定結果Ｄ＿ｉとに基づいて、画像信号からノイズを低減する。より詳細には、ノイズ低減処理部５０＿ｉは、ノイズ量検出部３０から入力された検出ノイズ量αを用いて、画像信号からノイズを低減する。そして、ノイズ低減処理部５０＿ｉは、判定処理部４０が判定した結果に基づいて、画像信号と該画像信号からノイズを低減したノイズ低減後信号のうちいずれか一つの信号を選択する。
【００４０】
具体的には、例えば、ノイズ低減処理部５０＿１は、ノイズ量検出部３０が検出した検出ノイズ量αを用いて画像信号からノイズを低減し、第１のノイズ低減後信号を生成する。そして、ノイズ低減処理部５０＿１は、判定処理部４０による判定結果Ｄ＿ｉに基づいて、画像信号とノイズ低減後信号のうちいずれか一つの信号を選択する。ノイズ低減処理部５０＿１は、選択した信号を次段のノイズ低減処理部５０＿２へ出力する。
【００４１】
ノイズ低減処理部５０＿ｉ（ここでは、ｉは２からＮ−１）は、ノイズ量検出部３０が検出したノイズ量を用いて、前段のノイズ低減処理部５０＿（ｉ−１）から入力された信号からノイズを低減し、第ｉのノイズ低減後信号を生成する。そして、ノイズ低減処理部５０＿ｉ（ここでは、ｉは２からＮ−１）は、判定処理部４０が判定した結果に基づいて、画像信号と第ｉのノイズ低減後信号のうちいずれか一つの信号を選択する。ノイズ低減処理部５０＿ｉは、選択した信号を次段のノイズ低減処理部５０＿（ｉ＋１）へ出力する。
【００４２】
ノイズ低減処理部５０＿Ｎは、ノイズ量検出部３０が検出したノイズ量を用いて、前段のノイズ低減処理部５０＿（Ｎ−１）から入力された信号からノイズを低減し、第Ｎのノイズ低減後信号を生成する。そして、ノイズ低減処理部５０＿Ｎは、判定処理部４０が判定した結果に基づいて、画像信号と第Ｎのノイズ低減後信号のうちいずれか一つの信号を選択する。ノイズ低減処理部５０＿１は、選択した信号を、雑音低減信号ＳＯＵＴとして画像調整部１３へ出力する。
【００４３】
図４は、第１の実施形態におけるノイズ量検出部３０の概略ブロック図である。ノイズ量検出部３０は、一時記憶部３１と、フレーム間ノイズ量検出部３２と、フレーム内水平ノイズ量検出部３３と、フレーム内垂直ノイズ量検出部３４とを備える。
一時記憶部３１は、受信部１１から供給された映像信号ＳＩＮを所定のフレーム数だけ記憶する。
【００４４】
フレーム間ノイズ量検出部３２は、一時記憶部３１から雑音低減の対象となる対象画素を含むフレーム（以下、対象フレームと称する）の映像信号と、当該フレームの１つ前のフレーム（以下、直前フレームと称する）の映像信号と、当該フレームの１つ後のフレーム（以下、直後フレームと称する）の映像信号と、を読み出す。
【００４５】
そして、フレーム間ノイズ量検出部３２は、読み出した対象画素の輝度信号と直前フレームにおいて対象画素の位置に相当する位置の画素の輝度信号と、直後フレームにおいて対象画素の位置に相当する位置の画素の輝度信号とに基づいて、フレーム間ノイズ量α＿Ｆを算出する。そして、フレーム間ノイズ量検出部３２は、算出したフレーム間ノイズ量α＿Ｆを判定処理部４０とノイズ低減処理部５０＿１とへ出力する。
【００４６】
フレーム内水平ノイズ量検出部３３は、一時記憶部３１から対象フレームの映像信号を読み出す。そして、フレーム内水平ノイズ量検出部３３は、読み出した対象画素の輝度信号と対象画素より水平方向に予め決められた画素数ａ（ａは正の整数）分だけ遅れた輝度信号と対象画素より水平方向に予め決められた画素数ｂ（ｂは正の整数）分だけ早まった輝度信号とに基づいて、フレーム内水平ノイズ量α＿Ｈを算出する。そして、フレーム間ノイズ量検出部３２は、算出したフレーム内水平ノイズ量α＿Ｈを判定処理部４０とインデックスｉが２以上Ｎ以下の偶数である各ノイズ低減処理部５０＿ｉへ出力する。
【００４７】
ここで、対象画素より水平方向に予め決められた画素数ａ分だけ遅れた輝度信号とは、対象画素に向かって右に画素数ａ分だけずれた画素の輝度値を示す信号である。また、対象画素より水平方向に予め決められた画素数ｂ分だけ早まった輝度信号とは、対象画素に向かって左に画素数ｂ分だけずれた画素の輝度値を示す信号である。
【００４８】
フレーム内垂直ノイズ量検出部３４は、一時記憶部３１から対象フレームの映像信号を読み出す。そして、フレーム内垂直ノイズ量検出部３４は、読み出した対象画素の輝度信号と対象画素より垂直方向に予め決められた画素数ｃ（ｃは正の整数）分だけ遅れた輝度信号と対象画素より垂直方向に予め決められた画素数ｄ（ｄは正の整数）分だけ早まった輝度信号とに基づいて、フレーム内垂直ノイズ量α＿Ｖを算出する。そして、フレーム間ノイズ量検出部３２は、算出したフレーム内垂直ノイズ量α＿Ｖを判定処理部４０とインデックスｉが３以上Ｎ以下の奇数である各ノイズ低減処理部５０＿ｉへ出力する。
【００４９】
ここで、対象画素より垂直方向に予め決められた画素数ｃ分だけ遅れた輝度信号とは、対象画素に向かって下に画素数ｃ分だけずれた画素の輝度値を示す信号である。また、対象画素より垂直方向に予め決められた画素数ｄ分だけ早まった輝度信号とは、対象画素に向かって上に画素数ｄ分だけずれた画素の輝度値を示す信号である。
【００５０】
＜フレーム間ノイズ量検出部３２の処理の詳細＞
続いて、図５及び図６を用いて、フレーム間ノイズ量検出部３２の処理について説明する。図５は、フレーム間ノイズ量検出部３２により読み出されるフレームについて説明するための図である。同図において、雑音低減の対象となる対象画素を含むｔ番目のフレームの画像と、当該フレームの１つ前のｔ−１番目のフレームの画像と、当該フレームの１つ後のｔ＋１番目のフレームの画像とが示されている（ｔは２以上の整数）。
【００５１】
更に、同図におけるｘｙ座標系において、ｔ番目のフレームの左端（ｘ＝１，ｙ＝１）の画素の輝度値Ｙ（１，１，ｔ）と、当該左端の画素の位置に相当する直前フレームの画素の輝度値Ｙ（１，１，ｔ−１）と、当該左端の画素の位置に相当する直後フレームの画素の輝度値Ｙ（１，１，ｔ＋１）とが示されている。
【００５２】
フレーム間ノイズ量検出部３２は、対象フレームの対象画素の輝度値Ｙ（ｘ、ｙ、ｔ）と、当該対象画素の位置に相当する直前フレームの画素Ｙ（ｘ、ｙ、ｔ−１）と、当該対象画素の位置に相当する直後フレームの画素Ｙ（ｘ、ｙ、ｔ＋１）とを用いて、フレーム間の輝度値差の平均ΔＹ＿Ｆを以下の式（１）に従って、算出する。
【００５３】
ΔＹ＿Ｆ＝（｜Ｙ（ｘ、ｙ、ｔ−１）−Ｙ（ｘ、ｙ、ｔ）｜＋｜Ｙ（ｘ、ｙ、ｔ＋１）−Ｙ（ｘ、ｙ、ｔ）｜）／２      （１）
【００５４】
なお、本実施形態におけるフレーム間ノイズ量検出部３２は、直前フレームと直後フレームの画像データを用いてフレーム間の輝度値差の平均を算出したがこれに限らず、２フレーム以上前後するフレームの画像データを用いてフレーム間の輝度値差の平均を算出してもよい。その算出方法は以上の説明から自明であろう。
【００５５】
フレーム間ノイズ量検出部３２は、対象フレーム内の全ての画素で、フレーム間の輝度値差の平均ΔＹ＿Ｆを算出する。そして、フレーム間ノイズ量検出部３２は、フレーム間の輝度値差の平均ΔＹ＿Ｆの最頻値をフレーム間ノイズ量α＿Ｆとして算出する。
【００５６】
ここで、図６を用いて、フレーム間ノイズ量検出部３２による最頻値の算出方法について説明する。図６は、フレーム間の輝度値差の平均ΔＹ＿Ｆの頻度分布の一例が示された図である。同図において、縦軸は頻度で横軸はフレーム間の輝度値差の平均ΔＹ＿Ｆである。出現頻度が最大となるフレーム間の輝度値差の平均ΔＹ＿Ｆが最頻値であり、同図において最頻値は６である。この例では、フレーム間ノイズ量検出部３２は、最頻値である６をフレーム間ノイズ量α＿Ｆとして算出する。
【００５７】
＜フレーム内水平ノイズ量検出部３３の処理の詳細＞
続いて、図７を用いて、フレーム内水平ノイズ量検出部３３の処理について説明する。図７は、フレーム内水平ノイズ量検出部３３による処理を説明するための図である。同図において、雑音低減の対象となる対象画素を含むｔ番目のフレームの画像が示されている。
【００５８】
更に、同図におけるｘｙ座標系において、ｔ番目のフレームの対象画素の輝度値Ｙ（ｘ＿１，ｙ＿１，ｔ）と、当該対象画素から向かって右にａ画素だけ離れた位置の画素の輝度値Ｙ（ｘ＿１＋ａ，ｙ＿１，ｔ）と、当該対象画素から向かって左にｂ画素だけ離れた位置の画素の輝度値Ｙ（ｘ＿１−ｂ，ｙ＿１，ｔ）とが示されている。
【００５９】
フレーム内水平ノイズ量検出部３３は、対象画素の輝度値Ｙ（ｘ、ｙ、ｔ）と、当該対象画素から向かって右にａ画素だけ離れた位置の画素の輝度値Ｙ（ｘ＋ａ、ｙ、ｔ）と、当該対象画素から向かって左にｂ画素だけ離れた位置の画素の輝度値Ｙ（ｘ−ｂ，ｙ，ｔ）とを用いて、フレーム内水平方向の輝度値差の平均ΔＹ＿Ｈを以下の式（２）に従って、算出する。
【００６０】
ΔＹ＿Ｈ＝（｜Ｙ（ｘ−ｂ、ｙ、ｔ）−Ｙ（ｘ、ｙ、ｔ）｜＋｜Ｙ（ｘ＋ａ、ｙ、ｔ）−Ｙ（ｘ、ｙ、ｔ）｜）／２      （２）
【００６１】
フレーム内水平ノイズ量検出部３３は、対象フレーム内の全ての画素で、フレーム内水平方向の輝度値差の平均ΔＹ＿Ｈを算出する。そして、フレーム内水平ノイズ量検出部３３は、フレーム内水平方向の輝度値差の平均ΔＹ＿Ｈの最頻値をフレーム内水平ノイズ量α＿Ｈとして算出する。
【００６２】
＜フレーム内垂直ノイズ量検出部３４の処理の詳細＞
続いて、図８を用いて、フレーム内垂直ノイズ量検出部３４の処理について説明する。図８は、フレーム内垂直ノイズ量検出部３４による処理を説明するための図である。同図において、雑音低減の対象となる対象画素を含むｔ番目のフレームの画像が示されている。
【００６３】
更に、同図におけるｘｙ座標系において、ｔ番目のフレームの対象画素の輝度値Ｙ（ｘ＿１，ｙ＿１，ｔ）と、当該対象画素から向かって下にｃ画素分離れた位置の画素の輝度値Ｙ（ｘ＿１，ｙ＿１＋ｃ，ｔ）と、当該対象画素から向かって上にｄ画素分離れた位置の画素の輝度値Ｙ（ｘ＿１，ｙ＿１−ｄ，ｔ）とが示されている。
【００６４】
フレーム内垂直ノイズ量検出部３４は、対象画素の輝度値Ｙ（ｘ、ｙ、ｔ）と、当該対象画素から向かって下にｃ画素だけ離れた位置の画素の輝度値Ｙ（ｘ、ｙ＋ｃ、ｔ）と、当該対象画素から向かって上にｄ画素だけ離れた位置の画素の輝度値Ｙ（ｘ，ｙ−ｄ，ｔ）とを用いて、フレーム内垂直方向の輝度値差の平均ΔＹ＿Ｖを以下の式（３）に従って、算出する。
【００６５】
ΔＹ＿Ｖ＝（｜Ｙ（ｘ、ｙ−ｄ、ｔ）−Ｙ（ｘ、ｙ、ｔ）｜＋｜Ｙ（ｘ、ｙ＋ｃ、ｔ）−Ｙ（ｘ、ｙ、ｔ）｜）／２      （３）
【００６６】
フレーム内垂直ノイズ量検出部３４は、対象フレーム内の全ての画素で、フレーム内垂直方向の輝度値差の平均ΔＹ＿Ｖを算出する。そして、フレーム内垂直ノイズ量検出部３４は、フレーム内垂直方向の輝度値差の平均ΔＹ＿Ｖの最頻値をフレーム内垂直ノイズ量α＿Ｖとして算出する。
【００６７】
図９は、第１の実施形態における判定処理部４０の概略ブロック図の一例である。判定処理部４０は、記憶部４１と、判定部４２＿１、…４２＿ＮまでのＮ個の判定部４２＿ｉとを備える。
記憶部４１には、ノイズ低減処理部５０＿ｉ毎（あるいは判定部４２＿ｉ毎）に予め決められた上閾値ＴＨ＿ｉとその上閾値ＴＨ＿ｉから下閾値ＴＬ＿ｉを引いた差分Ｄｉｆ（ｉに寄らず一定で、例えば３ビット信号で“００１”）とが記憶されている。
ここで、複数のノイズ低減処理部５０＿ｉは、直列に接続されていることから、ノイズ低減処理部５０＿ｉの接続の順番をｉ段目と称す。例えば、ノイズ低減処理部５０＿１は１段目であり、ノイズ低減処理部５０＿ＮはＮ段目である。
【００６８】
なお、本実施形態では、差分Ｄｉｆは段数ｉに寄らず一定としたが、これに限らず、段数ｉに応じて設定されていてもよい。
【００６９】
上閾値ＴＨ＿ｉは、ノイズ低減処理部５０＿ｉの接続の順番に応じて、設定されている。すなわち、上閾値ＴＨ＿ｉは、ノイズ低減処理部（５０＿１〜５０＿Ｎ）が画像信号に対して行ったノイズ低減処理の回数に応じて、設定されている。具体的には、上閾値ＴＨ＿ｉは、ノイズ低減処理部（５０＿１〜５０＿Ｎ）が画像信号に対して行ったノイズ低減処理の回数が大きくなるほど、大きくなるように設定されている。
【００７０】
判定部４２＿ｉは、それぞれノイズ低減処理部５０＿ｉに対応しており、各判定部４２＿ｉは、対応するノイズ低減処理部５０＿ｉへ判定結果Ｄ＿ｉを出力する。
判定部４２＿ｉは、ノイズ低減処理部５０＿ｉに対応する上閾値ＴＨ＿ｉ及び差分Ｄｉｆを読み出す。
ノイズ低減処理部５０＿ｉでフレーム間ノイズを低減する場合、判定部４２＿ｉは、フレーム間ノイズ量α＿Ｆと読み出した上閾値ＴＨ＿ｉ及び差分Ｄｉｆとに基づいて、ノイズ低減処理部５０＿ｉでフレーム間ノイズを低減するか否か判定する。
【００７１】
一方、ノイズ低減処理部５０＿ｉでフレーム内水平方向のノイズを低減する場合、判定部４２＿ｉは、フレーム内水平ノイズ量α＿Ｈと読み出した上閾値ＴＨ＿ｉ及び差分Ｄｉｆとに基づいて、ノイズ低減処理部５０＿ｉでフレーム内水平方向のノイズを低減するか否か判定する。
また、ノイズ低減処理部５０＿ｉでフレーム内垂直方向のノイズを低減する場合、判定部４２＿ｉは、フレーム内垂直ノイズ量α＿Ｖと読み出した上閾値ＴＨ＿ｉとに基づいて、ノイズ低減処理部５０＿ｉでフレーム内垂直方向のノイズを低減するか否か判定する。
【００７２】
図９の場合において、各判定部４２＿ｉの処理について具体的に説明する。
判定部４２＿１は、記憶部４１からノイズ低減処理部５０＿１に対応する上閾値ＴＨ＿１と、差分Ｄｉｆとを読み出す。そして、判定部４２＿１は、フレーム間ノイズ量検出部３２から入力されたフレーム間ノイズ量α＿Ｆと、読み出した上閾値ＴＨ＿１及び差分Ｄｉｆとに基づいて、ノイズ低減処理部５０＿１がノイズ低減を行うか否か判定する。そして、判定部４２＿１は、判定結果Ｄ＿１をノイズ低減処理部５０＿１へ出力する。
【００７３】
判定部４２＿２は、記憶部４１からノイズ低減処理部５０＿２に対応する上閾値ＴＨ＿２と、差分Ｄｉｆとを読み出す。そして、判定部４２＿２は、フレーム内水平ノイズ量検出部３３から入力されたフレーム内水平ノイズ量α＿Ｈと、読み出した上閾値ＴＨ＿２及び差分Ｄｉｆとに基づいて、ノイズ低減処理部５０＿２がノイズ低減を行うか否か判定する。そして、判定部４２＿２は、判定結果Ｄ＿２をノイズ低減処理部５０＿２へ出力する。
【００７４】
判定部４２＿３は、記憶部４１からノイズ低減処理部５０＿３に対応する上閾値ＴＨ＿３と、差分Ｄｉｆとを読み出す。そして、判定部４２＿３は、フレーム内垂直ノイズ量検出部３４から入力されたフレーム内垂直ノイズ量α＿Ｖと、読み出した上閾値ＴＨ＿３及び差分Ｄｉｆとに基づいて、ノイズ低減処理部５０＿３がノイズ低減を行うか否か判定する。そして、判定部４２＿３は、判定結果Ｄ＿３をノイズ低減処理部５０＿３へ出力する。
【００７５】
判定部４２＿４は、記憶部４１からノイズ低減処理部５０＿４に対応する上閾値ＴＨ＿４と、差分Ｄｉｆとを読み出す。そして、判定部４２＿４は、フレーム内水平ノイズ量検出部３３から入力されたフレーム内水平ノイズ量α＿Ｈと、読み出した上閾値ＴＨ＿４及び差分Ｄｉｆとに基づいて、ノイズ低減処理部５０＿４がノイズ低減を行うか否か判定する。そして、判定部４２＿４は、判定結果Ｄ＿４をノイズ低減処理部５０＿４へ出力する。
【００７６】
判定部４２＿５は、記憶部４１からノイズ低減処理部５０＿５に対応する上閾値ＴＨ＿５と、差分Ｄｉｆとを読み出す。そして、判定部４２＿５は、フレーム内垂直ノイズ量検出部３４から入力されたフレーム内垂直ノイズ量α＿Ｖと、読み出した上閾値ＴＨ＿５及び差分Ｄｉｆとに基づいて、ノイズ低減処理部５０＿５がノイズ低減を行うか否か判定する。そして、判定部４２＿５は、判定結果Ｄ＿５をノイズ低減処理部５０＿５へ出力する。
【００７７】
判定部４２＿Ｎは、記憶部４１からノイズ低減処理部５０＿Ｎに対応する上閾値ＴＨ＿Ｎと、差分Ｄｉｆとを読み出す。そして、判定部４２＿Ｎは、フレーム内水平ノイズ量検出部３３から入力されたフレーム内水平ノイズ量α＿Ｈまたはフレーム内垂直ノイズ量検出部３４から入力されたフレーム内垂直ノイズ量α＿Ｖと、読み出した上閾値ＴＨ＿Ｎ及び差分Ｄｉｆとに基づいて、ノイズ低減処理部５０＿Ｎがノイズ低減を行うか否か判定する。そして、判定部４２＿Ｎは、判定結果Ｄ＿Ｎをノイズ低減処理部５０＿Ｎへ出力する。
【００７８】
なお、本実施形態では、フレームメモリ削減のために、１番目の判定部４２＿１のみフレーム間ノイズ量α＿Ｆを用いて判定したが、これに限らず、２番目以降の判定部４２＿ｉ（ここでは、ｉは２からＮまでの整数）において、フレーム間ノイズ量α＿Ｆを用いて判定してもよい。
【００７９】
ここで、ノイズ低減処理の段数が６段の場合（Ｎ＝６）において、６段目のノイズ低減処理部５０＿６がフレーム内水平方向のノイズを低減する場合を想定して、図１０を用いて上閾値ＴＨ＿ｉの設定原理を説明する。
図１０は、ノイズ低減処理部５０＿ｉの段数が６段の場合（Ｎ＝６）において、ノイズ量αとノイズ低減させた回数との関係の一例を示した図である。同図において、縦軸は検出ノイズ量αで、横軸はノイズ低減させた回数である。
【００８０】
同図において、受信部１１から入力された元の画像信号に含まれるノイズ量が１４、１２、１０、８、６、４または２の場合、それぞれにおけるノイズ低減させた回数を増やしたときのノイズ量の変遷が、それぞれ折れ線Ｇ１６１、Ｇ１６２、Ｇ１６３、Ｇ１６４、Ｇ１６５、Ｇ１６６またはＧ１６７に示されている。
折れ線Ｇ１６１は、ノイズ低減させた回数が６の場合にノイズ量が２となることが示されている。折れ線Ｇ１６２は、ノイズ低減させた回数が５の場合にノイズ量が２となることが示されている。折れ線Ｇ１６３は、ノイズ低減させた回数が５の場合にノイズ量が２となることが示されている。折れ線Ｇ１６４は、ノイズ低減させた回数が５の場合にノイズ量が２となることが示されている。折れ線Ｇ１６５は、ノイズ低減させた回数が４の場合にノイズ量が２となることが示されている。折れ線Ｇ１６５は、ノイズ低減させた回数が３の場合にノイズ量が２となることが示されている。折れ線Ｇ１６６は、ノイズ低減させた回数が１の場合にノイズ量が２となることが示されている。
【００８１】
一例として、ノイズ低減処理部５０＿ｉの段数が６段（Ｎ＝６）の場合において、判定処理部４０が、ノイズ量が例えば２以下になった場合に、ノイズ低減処理部５０＿ｉにノイズ低減処理を行わないと判定するように、上閾値ＴＨ＿ｉは一例として以下のように設定される。
上閾値ＴＨ＿ｉは元の画像信号に含まれるノイズ量が２の時はノイズ低減処理（以下、ＮＲ処理とも称す）を行わないように設定する。上閾値ＴＨ＿ｉは元の画像信号に含まれるノイズ量が３の時は２段までＮＲ処理を行うように上閾値ＴＨ＿ｉが設定される。
【００８２】
また、上閾値ＴＨ＿ｉは元の画像信号に含まれるノイズ量が４の時は３段までＮＲ処理を行うように上閾値ＴＨ＿ｉが設定される。また、上閾値ＴＨ＿ｉは元の画像信号に含まれるノイズ量が５〜７の時は４段までＮＲ処理を行うように上閾値ＴＨ＿ｉが設定される。また、上閾値ＴＨ＿ｉは元の画像信号に含まれるノイズ量が５〜７の時は４段までＮＲ処理を行うように上閾値ＴＨ＿ｉが設定される。また、上閾値ＴＨ＿ｉは元の画像信号に含まれるノイズ量が８〜１３の時は５段までＮＲ処理を行うように上閾値ＴＨ＿ｉが設定される。また、上閾値ＴＨ＿ｉは元の画像信号に含まれるノイズ量が１４以上の時は６段までＮＲ処理を行うように上閾値ＴＨ＿ｉが設定される。
【００８３】
図１１は、ノイズ低減処理部５０＿ｉの段数が６段（Ｎ＝６）の場合に、記憶部４１に記憶されている上閾値ＴＨ＿ｉの一例である。同図において、ノイズ低減処理部５０＿１〜５０＿６毎に、上閾値ＴＨ＿ｉが定められている。上閾値ＴＨ＿ｉは、ノイズ低減処理部５０＿ｉの段数が１段目の場合に３で、２段目の場合に３、３段目の場合に４、４段目の場合に５、５段目の場合に８、６段目の場合に１４となっている。このように、本実施形態では、上閾値ＴＨ＿ｉは、ノイズ低減処理部５０＿ｉの接続の順番が大きくなるほど、大きくなるように設定されている。
【００８４】
これにより、雑音低減部１２ａは、ノイズ量が多い場合には、ノイズ低減処理の段数を多くし、ノイズ量が少ない場合には、ノイズ低減処理の段数を少なくすることができる。その結果、雑音低減部１２ａは、ノイズ量が少ない場合に画像信号のノイズを低減しないことで、ノイズを低減することにより失われる高周波成分を軽減することができるので、画像がぼけることを防ぐことができる。一方、雑音低減部１２ａは、ノイズ量が多いうちはノイズを低減し、ノイズ低減処理の回数を経ることによってノイズ量が予め決められた閾値より小さくなった場合にノイズを低減しなくすることで、ノイズを低減することにより失われる高周波成分を軽減することができるので、画像のぼけを防ぎつつ、ノイズを低減することができる。
【００８５】
図１２は、第１の実施形態における判定部４２＿ｉ（図９）の一例を示す概略ブロック図である。判定部４２＿ｉは、拡張部４２Ｅと、第１の比較部４３と、減算部４４と、第１の選択部４５と、第２の選択部４６と、第２の比較部４７と、第３の選択部４８と、一時記憶部４９とを備える。
拡張部４２Ｅは、差分Ｄｉｆを記憶部４１から読み出し、差分Ｄｉｆのビット数を拡張する。例えば、差分Ｄｉｆが記憶部４１に３ビットで記憶されている場合、拡張部４２Ｅは、差分Ｄｉｆのビット数を３ビットから５ビットに拡張する。拡張部４２Ｅは、拡張後の差分Ｄｉｆを第１の比較部４３と、減算部４４とへ出力する。
【００８６】
第１の比較部４３は、記憶部４１からノイズ低減処理部５０＿ｉに対応する上閾値ＴＨ＿ｉ（例えば、５ビット信号）を読み出し、読み出した上閾値ＴＨ＿ｉと、拡張部４２Ｅか入力された拡張後の差分Ｄｉｆとを比較する。第１の比較部４３は、上閾値ＴＨ＿ｉが拡張後の差分Ｄｉｆ以上の場合、１を第１の選択部４５へ出力する。一方、第１の比較部４３は、上閾値ＴＨ＿ｉが拡張後の差分Ｄｉｆ未満の場合、０を第１の選択部４５へ出力する。
【００８７】
減算部４４は、記憶部４１からノイズ低減処理部５０＿ｉに対応する上閾値ＴＨ＿ｉ（例えば、５ビット信号）を読み出し、読み出した上閾値ＴＨ＿ｉから拡張後の差分Ｄｉｆを減算し、減算後に得られる下閾値ＴＬ＿ｉを第１の選択部４５へ出力する。
【００８８】
第１の選択部４５は、第１の比較部４３から入力された値が１の場合、すなわち上閾値ＴＨ＿ｉが差分Ｄｉｆ以上の場合、減算部４４から入力された下閾値ＴＬ＿ｉを第２の選択部４６へ出力する。一方、第１の選択部４５は、第１の比較部４３から入力された値が０の場合、すなわち上閾値ＴＨ＿ｉが差分Ｄｉｆ未満の場合、０を下閾値ＴＬ＿ｉとして第２の選択部４６へ出力する。
これは、上閾値ＴＨ＿ｉが差分Ｄｉｆより小さい場合、上閾値ＴＨ＿ｉから差分Ｄｉｆを減算するとマイナスの値になるので、その場合、第１の選択部４５は、下閾値ＴＬ＿ｉを０にすることを意味する。
【００８９】
第２の選択部４６は、一時記憶部４９から入力された判定結果Ｄ＿ｉに基づいて、上閾値ＴＨ＿ｉと、下閾値ＴＬ＿ｉのうち、いずれか１つを選択する。具体的には、判断結果Ｄ＿ｉがノイズ低減処理を行う旨を示す０の場合、第２の選択部４６は、下閾値ＴＬ＿ｉを閾値Ｔとして選択し、選択した閾値Ｔを第２の比較部４７へ出力する。
一方、判断結果Ｄ＿ｉがノイズ低減処理を行わない旨を示す１の場合、第２の選択部４６は、上閾値ＴＨ＿ｉを閾値Ｔとして選択し、選択した閾値Ｔを第２の比較部４７へ出力する。
【００９０】
第２の比較部４７は、ノイズ量検出部３０から入力された検出ノイズ量αと第２の選択部４６から入力された閾値Ｔとを比較する。そして、第２の比較部４７は、その検出ノイズ量αが閾値Ｔ以上の場合、出力値を１とし、出力値を第３の選択部４８へ出力する。
一方、第２の比較部４７は、その検出ノイズ量αが閾値Ｔ未満の場合、出力値を０とし、出力値を第３の選択部４８へ出力する。
【００９１】
第３の選択部４８は、第２の比較部４７から入力された出力値を反転させ、反転した値を判定結果Ｄ＿ｉとする。具体的には、例えば、第３の選択部４８は、入力された出力値が１の場合、０を判定結果Ｄ＿ｉとして選択し、入力された出力値が０の場合、１を判定結果Ｄ＿ｉとして選択する。そして、第３の選択部４８は、判定結果Ｄ＿ｉを一時記憶部４９に出力する。
【００９２】
一時記憶部４９は、不図示の信号線から入力されるクロック信号の立ち上がりエッジ時に、入力された判定結果Ｄ＿ｉを取り込む。そして、一時記憶部４９は、次のクロック信号の立ち上がりエッジ時において、取り込んだ判定結果Ｄ＿ｉを第２の選択部４６とノイズ低減処理部５０＿ｉへ出力する。これにより、一時記憶部４９は、第２の選択部４６とノイズ低減処理部５０＿ｉとへ、１クロック前の判定結果Ｄ＿ｉを出力する。その結果、第２の選択部４６とノイズ低減処理部５０＿ｉとは、１クロック前の判定結果Ｄ＿ｉに基づいて処理を行う。
【００９３】
これにより、第２の選択部４６により上閾値ＴＨ＿ｉが閾値Ｔとして選択された場合、かつ第２の比較部４７により検出ノイズ量αが上閾値ＴＨ＿ｉ以上である場合（すなわち判定部４２＿ｉがノイズ低減を行うと判定した場合）、第２の比較部から１を出力される。その場合、次にクロックでは第２の選択部４６には一時記憶部４９から０が入力されるので、第２の選択部４６は、下閾値ＴＬ＿ｉを閾値Ｔとして選択する。これにより、一度、検出ノイズ量αが上閾値ＴＨ＿ｉを超えた場合、判定部４２＿ｉは、次にクロックから下閾値ＴＬ＿ｉを閾値Ｔとして選択することができる。
【００９４】
その結果、検出ノイズ量αが一旦上閾値ＴＨ＿ｉ以上になれば上閾値ＴＨ＿ｉ未満になったとしても、検出ノイズ量αが下閾値ＴＬ＿ｉ以上であれば、判定部４２＿ｉは、ノイズ低減処理部５０＿ｉがノイズ低減を行うと判定することができる。よって、検出ノイズ量αが上閾値ＴＨ＿ｉと下閾値ＴＬ＿ｉの間で変動しても、判定部４２＿ｉにおける判定結果が同一でノイズ低減処理部５０＿ｉがノイズ低減を行うという判定結果であるので、各ノイズ低減処理部５０＿ｉは、ノイズ低減を行った後の信号を出力し続ける。
その結果、ノイズ低減処理部５０＿ｉは、ノイズ低減を行った後の画像とノイズ低減を行っていない画像とが頻繁に切り替わらないようにするので、表示装置１０ａは視聴者に見易い映像を提供することができる。
【００９５】
また、第２の選択部４６により下閾値ＴＬ＿ｉが閾値Ｔとして選択された場合、かつ第２の比較部４７により検出ノイズ量αが上閾値ＴＬ＿ｉ未満である場合（すなわちノイズ低減処理部５０＿ｉがノイズ低減を行わないと判定した場合）、第２の比較部から０を出力される。その場合、第２の選択部４６には一時記憶部４９から１が入力されるので、第２の選択部４６は、上閾値ＴＨ＿ｉを閾値Ｔとして選択する。これにより、一旦検出ノイズ量αが下閾値ＴＬ＿ｉを下回った場合、判定部４２＿ｉは、上閾値ＴＨ＿ｉを閾値Ｔとして選択することができる。
【００９６】
その結果、検出ノイズ量αが一旦下閾値ＴＬ＿ｉを下回った場合、検出ノイズ量αが上閾値ＴＨ＿ｉ以上になるまで、判定部４２＿ｉは、ノイズ低減処理部５０＿ｉがノイズ低減を行わないと判定する。その場合、検出ノイズ量αが上閾値ＴＨ＿ｉと下閾値ＴＬ＿ｉの間で変動しても、判定部４２＿ｉにおける判定結果が同一でノイズ低減処理部５０＿ｉがノイズ低減を行わないという判定結果であるので、各ノイズ低減処理部５０＿ｉは、ノイズ低減を行っていない信号を出力し続ける。
その結果、ノイズ低減処理部５０＿ｉは、ノイズ低減を行った後の画像とノイズ低減を行っていない画像とが頻繁に切り替わらないようにするので、表示装置１０ａは視聴者に見易い映像を提供することができる。
【００９７】
図１３は、第１の実施形態における判定部４２＿ｉによる効果を説明するための図である。同図において、ノイズ量の時系列変化を示す折れ線Ｇ１２１と、上閾値を示す直線Ｇ１２２と、下閾値を示す直線Ｇ１２３とが示されている。同図において、縦軸はノイズ量で、横軸は時刻である。
【００９８】
また、同図において、時刻ｔ１、ｔ２、ｔ５、ｔ６及びｔ７で、判定部４２＿ｉが用いる閾値Ｔは「上閾値」であり、時刻ｔ３、ｔ４及びｔ８で、判定部４２＿ｉが用いる閾値Ｔは「下閾値」であることがし示されている。
また、同図において、時刻ｔ１、ｔ４、ｔ５及びｔ６で、ノイズ低減を行うこと（同図のＮＲあり）が示されている、また時刻ｔ２、ｔ３、ｔ７及びｔ８で、ノイズ低減処理を行わないこと（同図のＮＲなし）が示されている。
【００９９】
時刻ｔ１のときに判定部４２＿ｉが用いる閾値Ｔは上閾値であり、時刻ｔ１のときのノイズ量が上閾値未満なので、判定部４２＿ｉは、ノイズ低減を行わないと判定する。
続いて、時刻ｔ２のときに判定部４２＿ｉが用いる閾値Ｔは上閾値であり、時刻ｔ２のときのノイズ量が上閾値以上であるので、判定部４２＿ｉはノイズ低減を行うと判定する。
【０１００】
時刻ｔ２のときのノイズ量が上閾値以上であるので、時刻ｔ２の次に現れるクロック信号の立ち上がり時刻である時刻ｔ３において、判定部４２＿ｉは、閾値Ｔとして下閾値を選択する。時刻ｔ３のときのノイズ量が下閾値以上であるので、判定部４２＿ｉはノイズ低減を行うと判定する。
続いて、時刻ｔ４のときに判定部４２＿ｉが用いる閾値Ｔは下閾値であり、時刻ｔ４のときのノイズ量が下閾値未満であるので、判定部４２＿ｉはノイズ低減を行わないと判定する。
【０１０１】
時刻ｔ４のときのノイズ量が下閾値未満であるので、時刻ｔ４の次に現れるクロック信号の立ち上がり時刻である時刻ｔ５において、判定部４２＿ｉは、閾値Ｔとして上閾値を選択する。そして、判定部４２＿ｉは、時刻ｔ５のときのノイズ量が上閾値未満であるので、ノイズ低減を行わないと判定する。
続いて、時刻ｔ６のときに判定部４２＿ｉが用いる閾値Ｔは上閾値であり、時刻ｔ６のときのノイズ量が上閾値未満であるので、判定部４２＿ｉはノイズ低減を行わないと判定する。
【０１０２】
続いて、時刻ｔ７のときに判定部４２＿ｉが用いる閾値Ｔは上閾値であり、時刻ｔ７のときのノイズ量が上閾値以上であるので、判定部４２＿ｉはＮＲ処理を行うと判定する。
続いて、時刻ｔ７のときに判定部４２＿ｉはＮＲ処理を行うと判定したので、時刻ｔ７の次に現れるクロック信号の立ち上がり時刻である時刻ｔ８において、判定部４２＿ｉは下閾値を選択する。そして、判定部４２＿ｉは時刻ｔ８のときのノイズ量が下閾値以上であるので、ＮＲ処理を行うと判定する。
【０１０３】
すなわち、ノイズ低減処理部５０＿ｉ毎に予め決められた閾値は、上閾値と該上閾値より低い下閾値とがある。判定処理部４０は、ノイズ低減処理部５０＿ｉについてノイズ低減を行うか否かの判定を行う際の閾値として上閾値が用いられている場合に、ノイズ量がノイズ低減処理部５０＿ｉに関連付けられた上閾値以上の場合、次に該ノイズ低減処理部５０＿ｉについてノイズ低減を行うか否かの判定を行う場合、閾値として下閾値を用いる。
【０１０４】
また、判定処理部４０は、ノイズ低減処理部５０＿ｉについてノイズ低減を行うか否かの判定を行う際の閾値として下閾値が用いられている場合に、ノイズ量がノイズ低減処理部５０＿ｉに関連付けられた下閾値未満の場合、次に該ノイズ低減処理部５０＿ｉについてノイズ低減を行うか否かの判定を行う場合、閾値として上閾値を用いる。
【０１０５】
このように、判定部４２＿ｉは、ノイズ量が一旦、上閾値以上となった場合、次の判定時には、下閾値を閾値に選択する。これにより、次の判定時にノイズ量が上閾値未満となっても、下閾値以上であれば、判定部４２＿ｉは、ノイズ低減を行うと判定する。これにより、判定部４２＿ｉは、ノイズ量が上閾値と下閾値との間で変動しても、ノイズ低減を行うと判定し、判定結果を変化させない。その結果、各ノイズ低減処理部５０＿ｉは、一旦ノイズ低減をすると判定した場合、ノイズ量が下閾値未満になるまでノイズ低減を行った後の信号を出力し続ける。
その結果、ノイズ低減処理部５０＿ｉは、ノイズ低減を行った後の画像とノイズ低減を行っていない画像とが頻繁に切り替わらないようにするので、表示装置１０ａは視聴者に見易い映像を提供することができる。
【０１０６】
一方、判定部４２＿ｉは、ノイズ量が一旦、下閾値未満となった場合、次の判定時には、上閾値を閾値に選択する。これにより、次の判定時にノイズ量が下閾値以上となっても、上閾未満であれば、判定部４２＿ｉは、ノイズ低減を行うと判定する。これにより、判定部４２＿ｉは、ノイズ量が上閾値と下閾値との間で変動しても、ノイズ低減を行わないと判定し、判定結果を変化させない。その結果、各ノイズ低減処理部５０＿ｉは、一旦ノイズ低減しないと判定した場合、ノイズ量が上閾値以上になるまでノイズ低減を行っていない信号を出力し続ける。
その結果、ノイズ低減処理部５０＿ｉは、ノイズ低減を行った後の画像とノイズ低減を行っていない画像とが頻繁に切り替わらないようにするので、表示装置１０ａは視聴者に見易い映像を提供することができる。
【０１０７】
図１４は、第１の実施形態におけるノイズ低減処理部５０＿ｉの概略ブロック図である。ノイズ低減処理部５０＿ｉは、ノイズ低減部５１＿ｉと、信号選択部５２＿ｉとを備える。
インデックスｉが１の場合、ノイズ低減部５１＿ｉは、受信部１１から映像信号ＳＩＮが入力される。また、インデックスｉが２からＮの場合、ノイズ低減部５１＿ｉは、ノイズ低減処理部５０＿（ｉ−１）から信号が入力される。
【０１０８】
ノイズ低減部５１＿ｉは、ノイズ量検出部３０から入力された検出ノイズ量αと判定部４２＿ｉから入力された判定結果Ｄ＿ｉとに基づいて、入力された信号のノイズを低減する。ノイズ低減部５１＿ｉは、ノイズ低減後の画像信号を信号選択部５２＿ｉへ供給する。
本実施形態では、一例として、ノイズ低減部５１＿１は、フレーム間ノイズ量検出部３２から入力されたフレーム間ノイズ量α＿Ｆと判定部４２＿１から入力された判定結果Ｄ＿１とに基づいて、受信部１１から供給された映像信号ＳＩＮに対してフレーム間のノイズを低減する。ノイズ低減部５１＿１は、フレーム間ノイズを低減した後の信号を信号選択部５２＿１へ供給する。
【０１０９】
また、一例として、ノイズ低減部５１＿２は、フレーム内水平ノイズ量検出部３３から入力されたフレーム内水平ノイズ量α＿Ｈと判定部４２＿２から入力された判定結果Ｄ＿２とに基づいて、ノイズ低減処理部５０＿１から供給された信号に対してフレーム内水平方向のノイズを低減する。ノイズ低減部５１＿２は、フレーム内水平方向のノイズを低減した後の信号を信号選択部５２＿２へ供給する。
また、一例として、ノイズ低減部５１＿３は、フレーム内垂直ノイズ量検出部３４から入力されたフレーム内垂直ノイズ量α＿Ｖと判定部４２＿２から入力された判定結果Ｄ＿３とに基づいて、ノイズ低減処理部５０＿２から供給された信号に対してフレーム内垂直方向のノイズを低減する。ノイズ低減部５１＿２は、フレーム内垂直方向のノイズを低減した後の信号を信号選択部５２＿３へ供給する。
【０１１０】
また、一例として、インデックスｉが２以上Ｎ未満の偶数の場合、ノイズ低減部５１＿ｉは、フレーム内水平ノイズ量検出部３３から入力されたフレーム内水平ノイズ量α＿Ｈと判定部４２＿ｉから入力された判定結果Ｄ＿ｉとに基づいて、ノイズ低減処理部５０＿（ｉ−１）から供給された信号に対してフレーム内水平方向のノイズを低減する。ノイズ低減部５１＿ｉは、フレーム内水平方向のノイズを低減した後の信号を信号選択部５２＿ｉへ供給する。
【０１１１】
一方、一例として、インデックスｉが３以上Ｎ未満の奇数の場合、ノイズ低減部５１＿ｉは、フレーム内垂直ノイズ量検出部３４から入力されたフレーム内垂直ノイズ量α＿Ｖと判定部４２＿ｉから入力された判定結果Ｄ＿ｉとに基づいて、ノイズ低減処理部５０＿（ｉ−１）から供給された信号に対してフレーム内垂直方向のノイズを低減する。ノイズ低減部５１＿ｉは、フレーム内垂直方向のノイズを低減した後の信号を信号選択部５２＿ｉへ供給する。
【０１１２】
また、一例として、Ｎが２以上の偶数の場合、ノイズ低減部５１＿Ｎは、フレーム内水平ノイズ量検出部３３から入力されたフレーム内水平ノイズ量α＿Ｈと判定部４２＿Ｎから入力された判定結果Ｄ＿Ｎとに基づいて、ノイズ低減処理部５０＿（Ｎ−１）から供給された信号に対してフレーム内水平方向のノイズを低減する。ノイズ低減部５１＿Ｎは、フレーム内水平方向のノイズを低減した後の信号を雑音低減信号ＳＯＵＴとして、画像調整部１３へ供給する。
【０１１３】
一方、一例として、Ｎが３以上の奇数の場合、ノイズ低減部５１＿Ｎは、フレーム内垂直ノイズ量検出部３４から入力されたフレーム内垂直ノイズ量α＿Ｖと判定部４２＿Ｎから入力された判定結果Ｄ＿Ｎとに基づいて、ノイズ低減処理部５０＿（Ｎ−１）から供給された信号に対してフレーム内垂直方向のノイズを低減する。ノイズ低減部５１＿Ｎは、フレーム内垂直方向のノイズを低減した後の信号を雑音低減信号ＳＯＵＴとして、画像調整部１３へ供給する。
【０１１４】
フレーム間のノイズを低減する場合、ノイズ低減部５１＿ｉは、対象画素の画素値（例えば、輝度値、色差）と、該対象画素を含むフレームから所定のフレーム間隔だけ離れたフレームにおいて該対象画素の位置に相当する位置の画素の画素値と、フレーム間ノイズ量検出部３２から入力されたフレーム間ノイズ量α＿Ｆとに基づいて、前段のノイズ低減処理部５０＿（ｉ−１）から供給された信号に含まれるフレーム間のノイズを低減する。
【０１１５】
フレーム内水平方向のノイズを低減する場合、ノイズ低減部５１＿ｉは、対象画素の画素値（例えば、輝度値、色差）と、該対象画素から予め決められた画素数ａだけ水平方向に離れた画素の画素値と、該対象画素から予め決められた画素数ｂだけ水平方向に離れた画素の画素値と、フレーム内水平ノイズ量検出部３３から入力されたフレーム内水平ノイズ量α＿Ｈとに基づいて、前段のノイズ低減処理部５０＿（ｉ−１）から供給された信号に含まれるフレーム内水平方向のノイズを低減する。
【０１１６】
フレーム内垂直方向のノイズを低減する場合、ノイズ低減部５１＿ｉは、対象画素の画素値（例えば、輝度値、色差）と、該対象画素から予め決められた画素数ｃだけ垂直方向に離れた画素の画素値と、該対象画素から予め決められた画素数ｄだけ垂直方向に離れた画素の画素値と、フレーム内垂直ノイズ量検出部３４から入力されたフレーム内垂直ノイズ量α＿Ｖとに基づいて、前段のノイズ低減処理部５０＿（ｉ−１）から供給された信号に含まれるフレーム内垂直方向のノイズを低減する。
【０１１７】
信号選択部５２＿ｉは、判定部４２＿ｉから入力された判定結果Ｄ＿ｉに基づいて、ノイズ低減部５１＿ｉから入力されたノイズ低減後の画像信号と、ノイズ低減処理部５０＿ｉの外部から入力された信号であるノイズ低減前の画像信号とのうちからいずれか一つの信号を選択する。具体的には、信号選択部５２＿ｉは、当該判定結果Ｄ＿ｉが０の場合、ノイズ低減部５１＿ｉから入力されたノイズ低減後の画像信号を選択する。一方、信号選択部５２＿ｉは、当該判定結果Ｄ＿ｉが１の場合、ノイズ低減部５１＿ｉから入力されたノイズ低減前の画像信号を選択する。
【０１１８】
そして、信号選択部５２＿ｉは、ｉが１からＮ−１までの整数の場合、選択した信号を次のノイズ低減処理部５０＿（ｉ＋１）へ出力する。一方、信号選択部５２＿ｉは、ｉがＮの場合、選択した信号を雑音低減信号ＳＯＵＴとして、画像調整部１３へ出力する。
【０１１９】
ノイズ低減処理部５０＿ｉの処理の詳細について、図１５および図１６を用いて説明する。
図１５は、フレーム間のノイズを低減する場合において、対象画素の輝度値が２つの比較画素の輝度値よりも小さいときの、ノイズ低減部５１＿ｉのノイズ低減処理を説明するための図である。同図において、向かって左側にノイズ低減前の輝度信号の電圧値（輝度値を示す電圧値）と、向かって右側にノイズ低減後の輝度信号の電圧値（輝度値を示す電圧値）とが示されている。
【０１２０】
同図において、向かって左側にあるノイズ低減前のｔ番目のフレームの対象画素の輝度値Ｙ（ｘ，ｙ，ｔ）が、当該対象画素の位置に相当する１つ前のフレームの画素の輝度値Ｙ（ｘ，ｙ，ｔ−１）および当該対象画素の位置に相当する１つ後のフレームの画素の輝度値Ｙ（ｘ，ｙ，ｔ＋１）よりも小さいことが示されている。また、向かって右側にあるノイズ低減後のｔ番目のフレームの対象画素の輝度値Ｙ´（ｘ，ｙ，ｔ）は、ノイズ低減前の輝度値Ｙ（ｘ，ｙ，ｔ）に検出ノイズ量αが加算されたものである。
【０１２１】
図１６は、フレーム間のノイズを低減する場合において、対象画素の輝度値が２つの比較画素の輝度値よりも大きいときの、ノイズ低減部５１＿ｉのノイズ低減処理を説明するための図である。同図において、向かって左側にノイズ低減前の輝度信号の電圧値（輝度値を示す電圧値）と、向かって右側にノイズ低減後の輝度信号の電圧値（輝度値を示す電圧値）とが示されている。
【０１２２】
同図において、向かって左側にあるノイズ低減前のｔ番目のフレームの対象画素の輝度値Ｙ（ｘ，ｙ，ｔ）が、当該対象画素の位置に相当する１つ前のフレームの画素の輝度値Ｙ（ｘ，ｙ，ｔ−１）および当該対象画素の位置に相当する１つ後のフレームの画素の輝度値Ｙ（ｘ，ｙ，ｔ＋１）よりも大きいことが示されている。
向かって右側にあるノイズ低減後のｔ番目のフレームの対象画素の輝度値Ｙ´（ｘ，ｙ，ｔ）は、ノイズ低減前の輝度値Ｙ（ｘ，ｙ，ｔ）から検出ノイズ量αが減算されたものである。
【０１２３】
図１５と図１６から、例えば、ノイズ低減部５１＿ｉは、ｔ番目のフレームの対象画素の輝度値Ｙ（ｘ，ｙ，ｔ）と当該対象画素の位置に相当する１つ前のフレームの画素の輝度値Ｙ（ｘ，ｙ，ｔ−１）と当該対象画素の位置に相当する１つ後のフレームの画素の輝度値Ｙ（ｘ，ｙ，ｔ＋１）とを比較する。そして、ノイズ低減部５１＿ｉは、対象画素の輝度値Ｙ（ｘ，ｙ，ｔ）が最小の場合、対象画素の輝度値Ｙ（ｘ，ｙ，ｔ）に検出ノイズ量αを加算する。一方、対象画素の輝度値Ｙ（ｘ，ｙ，ｔ）が最大の場合、対象画素の輝度値Ｙ（ｘ，ｙ，ｔ）から検出ノイズ量αを減算する。
【０１２４】
フレーム内水平方向のノイズを低減する場合、例えば、ノイズ低減部５１＿ｉは、ｔ番目のフレームの対象画素の輝度値Ｙ（ｘ，ｙ，ｔ）と当該対象画素から向かってａ画素右側の画素の輝度値Ｙ（ｘ＋ａ，ｙ，ｔ）と当該対象画素から向かってｂ画素左側の画素の輝度値Ｙ（ｘ−ｂ，ｙ，ｔ）とを比較する（図７参照）。そして、ノイズ低減部５１＿ｉは、対象画素の輝度値Ｙ（ｘ，ｙ，ｔ）が最小の場合、対象画素の輝度値Ｙ（ｘ，ｙ，ｔ）に検出ノイズ量αを加算する。一方、対象画素の輝度値Ｙ（ｘ，ｙ，ｔ）が最大の場合、対象画素の輝度値Ｙ（ｘ，ｙ，ｔ）から検出ノイズ量αを減算する。
【０１２５】
フレーム内垂直方向のノイズを低減する場合、例えば、ノイズ低減部５１＿ｉは、ｔ番目のフレームの対象画素の輝度値Ｙ（ｘ，ｙ，ｔ）と当該対象画素から向かってｃ画素下の画素の輝度値Ｙ（ｘ，ｙ＋ｃ，ｔ）と当該対象画素から向かってｄ画素上の画素の輝度値Ｙ（ｘ，ｙ−ｄ，ｔ）とを比較する（図８参照）。そして、ノイズ低減部５１＿ｉは、対象画素の輝度値Ｙ（ｘ，ｙ，ｔ）が最小の場合、対象画素の輝度値Ｙ（ｘ，ｙ，ｔ）に検出ノイズ量αを加算する。一方、対象画素の輝度値Ｙ（ｘ，ｙ，ｔ）が最大の場合、対象画素の輝度値Ｙ（ｘ，ｙ，ｔ）から検出ノイズ量αを減算する。
【０１２６】
図１７は、第１の実施形態における表示装置１０ａの処理の流れを示したフローチャートである。まず、受信部１１は、アンテナから電波を受信する。受信部１１は、受信した電波を映像信号に変換する（ステップＳ１０１）。受信部１１は、変換した映像信号を雑音低減部１２ａへ供給する。
【０１２７】
次に、雑音低減部１２ａは、映像信号に含まれる輝度信号のノイズを低減する（ステップＳ１０２）。雑音低減部１２ａは、ノイズを低減した輝度信号を画像調整部１３へ供給する。
次に、画像調整部１３は、雑音低減部１２ａから供給されたノイズを低減した輝度信号を受信する。画像調整部１３は、そのノイズを低減した輝度信号をＩ／Ｐ変換する（インターレース信号からプログレッシブ信号への変換を行う）（ステップＳ１０３）。画像調整部１３は、Ｉ／Ｐ変換された信号の画素数を調整する。画像調整部１３は、画素数調整後の調整後信号をタイミング制御部１４と、ソースドライバ部１５とへ供給する。
【０１２８】
次に、タイミング制御部１４は、画像調整部１３から供給された調整後信号を受信する。タイミング制御部１４は、その調整後信号を平面上の画素に配分するためのクロック信号を生成する（ステップＳ１０４）。タイミング制御部１４は、ソースドライバ部１５と、ゲートドライバ部１６へ、生成したクロック信号を供給する。
【０１２９】
次に、ソースドライバ部１５は、その調整後信号から液晶駆動用の階調化された電圧を生成する（ステップＳ１０５）。ソースドライバ部１５は、ソース線ごとに、その階調化された電圧を、内部のホールド回路で保持する。
【０１３０】
次に、ゲートドライバ部１６は、所定の電圧を液晶パネル部１７のＴＦＴのゲート線に供給する（ステップＳ１０６）。
次に、ソースドライバ部１５は、画面の縦方向の配列に対して、クロック信号に同期して、階調化された電圧を液晶パネル部１７のＴＦＴのソース線１９に供給する（ステップＳ１０７）。
【０１３１】
これにより、各ゲート線１９が選択されている時間内に映像データが、ソース線１９に順次供給され、必要なデータがＴＦＴを介して画素電極に書き込まれる。これによって、画素電極は、画素電極に掛かる電圧に応じて、対応する液晶の透過率を変更する。これによって、液晶パネル部１７は、映像信号を表示する（ステップＳ１０８）。以上で、本フローチャートの処理を終了する。
【０１３２】
図１８は、図１７のステップＳ１０２の雑音低減処理の流れを示したフローチャートである。図１８では、雑音低減部１２ａが、映像信号ＳＩＮのうち１フレームの画像についてノイズ低減する処理の一例について説明する。
まず、フレーム間ノイズ量検出部３２は、画像信号からフレーム間ノイズ量α＿Ｆを算出する（ステップＳ２０１）。次に、フレーム内水平ノイズ量検出部３３は、画像信号からフレーム内水平ノイズ量α＿Ｈを算出する（ステップＳ２０２）。次に、画像信号からフレーム内垂直ノイズ量検出部３４は、フレーム内垂直ノイズ量α＿Ｖを算出する（ステップＳ２０３）。
【０１３３】
次に、雑音低減部１２ａはインデックスｉを初期化する（ステップＳ２０４）。次に、ノイズ低減処理部５０＿ｉは、フレーム間ノイズ量α＿Ｆ、フレーム内水平ノイズ量α＿Ｈまたはフレーム内垂直ノイズ量α＿Ｖのうちいずれか１つに基づいて、画像信号からノイズ低減後の画像信号を生成する（ステップＳ２０５）。次に、判定部４２＿ｉは、ノイズ低減処理部５０＿ｉでノイズ低減を行うか否か判定する（ステップＳ２０６）。判定部４２＿ｉがノイズ低減を行うと判定した場合、ノイズ低減処理部５０＿ｉは、ノイズ低減後の画像信号を選択する（ステップＳ２０７）。一方、判定部４２＿ｉがノイズ低減を行わないと判定した場合、ノイズ低減処理部５０＿ｉは、ノイズ低減前の画像信号を選択する（ステップＳ２０８）。
【０１３４】
次に、雑音低減部１２ａは全てのノイズ低減処理部５０＿ｉで処理したか否か判定する（ステップＳ２０９）。全てのノイズ低減処理部５０＿ｉで処理していない場合（ステップＳ２０９  ＮＯ）、雑音低減部１２ａはｉを１増やし、ステップＳ２０５の処理に戻る。一方、全てのノイズ低減処理部５０＿ｉで処理した場合（ステップＳ２０９  ＹＥＳ）、雑音低減部１２ａはその処理を終了する。以上で、本フローチャートの処理を終了する。
【０１３５】
以上、本実施形態のノイズ量検出部３０は、画像信号に含まれるノイズ量を検出する。ノイズ低減部５１＿ｉは、ノイズ量検出部３０が検出したノイズ量に基づいて、前段のノイズ低減処理部５０＿（ｉ−１）が処理した信号に含まれるノイズを低減する。判定処理部４０は、ノイズ量検出部３０が検出したノイズ量に基づいて、ノイズ低減処理部５０＿ｉ毎にノイズ低減処理を行うか否かを判定する。信号選択部５２＿ｉは、判定処理部４０がした判定結果に基づいて、ノイズ低減部５１＿ｉがノイズを低減する前のノイズ低減前信号とノイズ低減部５１＿ｉがノイズを低減した後のノイズ低減後信号のうちいずれか一つの信号を選択する。
【０１３６】
これにより、雑音低減部１２ａは、元の画像信号から検出されたノイズ量が例えば予め決められた閾値より少ない場合には、画像信号からノイズを低減しないので、ノイズを低減することにより失われる高周波成分を軽減することができ、画像信号によって表される画像のぼけを防ぐことができる。その結果、表示装置１０ａは、ぼけていない画像を表示することができるので、視聴者に見易い映像を提供することができる。
【０１３７】
また、雑音低減部１２ａは、元の画像信号から検出されたノイズ量が例えば予め決められた閾値より多い場合、画像信号からノイズを低減する。そして、雑音低減部１２ａは、ノイズ低減後の画像に含まれるノイズ量が予め決められた閾値未満になった場合には、それ以上ノイズを低減しないことで、ノイズを低減することにより失われる高周波成分を軽減することができる。
よって、雑音低減部１２ａは、画像のぼけを防ぎつつ、画像に含まれるノイズを低減することができる。その結果、表示装置１０ａは、ぼけを防ぎつつ、ノイズが少ない画像を表示できるので、視聴者に見易い映像を提供することができる。
【０１３８】
なお、本実施形態では、各ノイズ低減部５１＿ｉは、フレーム間ノイズ量検出部３２が検出したフレーム間ノイズ量α＿Ｆに基づいてノイズを低減したが、これに限ったものではない。各ノイズ低減部５１＿ｉは、フレーム内水平ノイズ量α＿Ｈに基づいてノイズを低減してもよいし、フレーム内垂直ノイズ量α＿Ｖに基づいてノイズを低減してもよい。
また、各ノイズ低減部５１＿ｉは、フレーム間ノイズを低減する場合には、フレーム間ノイズ量α＿Ｆに基づいてノイズを低減し、フレーム内水平ノイズを低減する場合には、フレーム内水平ノイズ量α＿Ｈに基づいてノイズを低減し、フレーム内垂直ノイズを低減する場合には、フレーム内垂直ノイズ量α＿Ｖに基づいてノイズを低減してもよい。
【０１３９】
＜第２の実施形態＞  
次に、本発明の第２の実施形態について説明する。図１９は、第２の実施形態における表示装置１０ｂの概略ブロック図である。なお、図１と共通する要素には同一の符号を付し、その具体的な説明を省略する。図１９の表示装置１０ｂの構成は、図１の表示装置１０ａの構成に対して、雑音低減部１２ａが、雑音低減部１２ｂに変更されたものとなっている。
【０１４０】
図２０は、第２の実施形態における雑音低減部１２ｂの概略ブロック図である。雑音低減部１２ｂは、ノイズ低減ユニット１００＿１、…、１００＿ＭまでのＭ（Ｍは２以上の整数）個のノイズ低減ユニット１００＿ｊ（ｊは１からＭまでの整数）を備える。
ノイズ低減ユニット１００＿１は、受信部１１から入力された映像信号ＳＩＮに対してノイズ低減処理を施し、ノイズ低減処理後の信号を次のノイズ低減ユニット１００＿２へ出力する。
【０１４１】
ノイズ低減ユニット１００＿ｊ（ここでは、ｊは２からＭ−１までの整数）は、ノイズ低減ユニット１００＿（ｊ−１）から入力された信号に対して、ノイズ低減処理を施し、ノイズ低減処理後の信号を次のノイズ低減ユニット１００＿（ｊ＋１）へ出力する。
ノイズ低減ユニット１００＿Ｍは、ノイズ低減ユニット１００＿（Ｍ−１）から入力された映像信号ＳＩＮに対してノイズ低減処理を施し、ノイズ低減処理後の信号を雑音低減信号ＳＯＵＴとして画像調整部１３へ出力する。
【０１４２】
図２１は、第２の実施形態におけるノイズ低減ユニット１００＿ｊの概略ブロック図である。ノイズ低減ユニット１００＿ｊは、ノイズ量検出部３０ｂ＿ｊと、記憶部４１ｂ＿ｊと、判定処理部４０ｂと、ノイズ低減処理部５０ｂ＿ｊと、を備える。また、判定処理部４０ｂは、判定部４２ｂ＿１、…、４２ｂ＿ＭまでのＭ個の判定部４２ｂ＿ｊ（ｊは１からＭまでの整数）を備える。また、ノイズ低減処理部５０ｂ＿ｊは、ノイズ低減部５１ｂ＿ｊと、信号選択部５２＿ｊとを備える。
【０１４３】
ノイズ量検出部３０ｂ＿ｊは、第１の実施形態のノイズ量検出部３０と同様の処理で、フレーム間ノイズ量α＿Ｆ、フレーム内水平ノイズ量α＿Ｈまたはフレーム内垂直ノイズ量α＿Ｖのいずれか一つをノイズ量αとして算出する。そして、ノイズ量検出部３０ｂ＿ｊは、算出したノイズ量αをノイズ低減部５１ｂ＿ｊと判定部４２ｂ＿ｊへ出力する。
【０１４４】
記憶部４１ｂ＿ｊには、差分Ｄｉｆ（ｊによらず一定で、例えば、１）が記憶されている。ここで、上閾値ＴＨ＿ｊは、ノイズ低減ユニット１００＿ｊの段数ｊの数が大きくなるほど、すなわちノイズ低減処理が行われる回数が多くなるほど、大きくなるように設定されている。
【０１４５】
判定部４２ｂ＿ｊは、記憶部４１ｂ＿ｊから上閾値ＴＨ＿ｊ及び差分Ｄｉｆを読み出し、読み出した上閾値ＴＨ＿ｊ及び差分Ｄｉｆと、ノイズ量検出部３０ｂ＿ｊから入力されたノイズ量αとに基づいて、ノイズ低減処理部５０ｂ＿ｊがノイズ低減するか否かを判定する。そして、判定部４２ｂ＿ｊは、判定により得られた判定結果Ｄ＿ｊをノイズ低減処理部５０ｂ＿ｊの信号選択部５２＿ｊへ出力する。
【０１４６】
ノイズ低減処理部５０ｂ＿ｊは、入力された画像信号に対して、ノイズ低減処理を施し、ノイズ低減処理後の画像をノイズ低減ユニット１００＿ｊの外部へ出力する。具体的には、ノイズ低減処理部５０ｂ＿１は、受信部１１から入力された映像信号ＳＩＮに対して、ノイズ低減処理を施し、ノイズ低減処理後の信号をノイズ低減ユニット１００＿２へ出力する。
【０１４７】
ノイズ低減処理部５０ｂ＿ｊは、ノイズ低減ユニット１００＿（ｊ−１）から入力された信号ＳＩＮに対して、ノイズ低減処理を施し、ノイズ低減処理後の信号をノイズ低減ユニット１００＿（ｊ＋１）へ出力する。
ノイズ低減処理部５０ｂ＿Ｍは、ノイズ低減ユニット１００＿（Ｍ−１）から入力された信号に対して、ノイズ低減処理を施し、ノイズ低減処理後の信号を雑音低減信号ＳＯＵＴとして画像調整部１３へ出力する。
【０１４８】
ノイズ低減部５１ｂ＿ｊは、ノイズ量検出部３０ｂ＿ｊから入力されたノイズ量αに基づいて、第１の実施形態におけるノイズ低減部５１＿ｉと同様の処理で、ノイズを低減する。ノイズ低減部５１ｂ＿ｊは、ノイズ低減後の信号を信号選択部５２＿ｊへ出力する。
【０１４９】
信号選択部５２＿ｊは、第１の実施形態における信号選択部５２＿ｉと同様に、判定部４２ｂ＿ｊから入力された判定結果Ｄ＿ｊに基づいて、ノイズ低減部５１ｂ＿ｊから入力されたノイズ低減後の信号とノイズ低減前の信号とのうちいずれか一つの信号を選択する。
具体的には、例えば、信号選択部５２＿ｊは、判定結果Ｄ＿ｊがノイズ低減処理を行う旨を示す場合、ノイズ低減後の信号を選択する。一方、信号選択部５２＿ｊは、判定結果Ｄ＿ｊがノイズ低減処理を行わない旨を示す場合、ノイズ低減前の信号を選択する。そして、信号選択部５２＿ｊは、選択した信号を出力する。
【０１５０】
図２２は、ノイズ低減ユニット１００＿ｊの全段数が６（Ｍ＝６）の場合の、各ノイズ低減処理部５０ｂ＿ｊにおけるノイズ量検出部とノイズ低減部の処理の一例について説明するための図である。
同図に置いて、ノイズ低減処理部５０ｂ＿ｊ毎に、当該ノイズ低減処理部５０ｂ＿ｊが備えるノイズ量検出部３０ｂ＿ｊにおける処理およびノイズ低減処理部５０ｂ＿ｊにおける処理の組が示されている。
【０１５１】
同図において、ノイズ低減処理部５０ｂ＿１では、ノイズ量検出部３０ｂ＿１が「フレーム間」のノイズ量α＿Ｆを算出すること、およびノイズ低減部５１ｂ＿１が「フレーム間」のノイズを低減することが示されている。
また、ノイズ低減処理部５０ｂ＿２では、ノイズ量検出部３０ｂ＿２が「フレーム内水平ノイズ量α＿Ｈを算出すること、およびノイズ低減部５１ｂ＿２が「フレーム内水平方向」のノイズを低減することが示されている。
【０１５２】
また、ノイズ低減処理部５０ｂ＿３では、ノイズ量検出部３０ｂ＿３が「フレーム内垂直ノイズ量α＿Ｖを算出すること、およびノイズ低減部５１ｂ＿３が「フレーム内垂直方向」のノイズを低減することが示されている。
また、ノイズ低減処理部５０ｂ＿４では、ノイズ量検出部３０ｂ＿４が「フレーム内水平ノイズ量α＿Ｈを算出すること、およびノイズ低減部５１ｂ＿４が「フレーム内水平方向」のノイズを低減することが示されている。
【０１５３】
また、ノイズ低減処理部５０ｂ＿５では、ノイズ量検出部３０ｂ＿５が「フレーム内垂直ノイズ量α＿Ｖを算出すること、およびノイズ低減部５１ｂ＿５が「フレーム内垂直方向」のノイズを低減することが示されている。
また、ノイズ低減処理部５０ｂ＿６では、ノイズ量検出部３０ｂ＿６が「フレーム内水平ノイズ量α＿Ｈを算出すること、およびノイズ低減部５１ｂ＿６が「フレーム内水平方向」のノイズを低減することが示されている。
【０１５４】
第２の実施形態における表示装置１０ｂの処理の流れは、図１７に示した第１の実施形態における表示装置１０ａの処理の流れと同一であるので、その説明を省略する。
図２３は、第２の実施形態において、図１７のステップＳ１０２の雑音低減処理の流れを示したフローチャートである。図２３では、雑音低減部１２ｂが、映像信号ＳＩＮのうち１フレームの画像についてノイズ低減する処理について説明する。
【０１５５】
まず、雑音低減部１２ｂはインデックスｊを初期化する（ステップＳ３０１）。次に、ノイズ量検出部３０ｂ＿ｊは、画像信号からノイズ量αを算出する（ステップＳ３０２）。次に、ノイズ低減部５１ｂ＿ｊは、ノイズ量αに基づいて、ノイズ低減後の画像信号を生成する（ステップＳ３０３）。次に、判定部４２ｂ＿ｊは、ノイズ量αに基づいてノイズ低減処理部５０ｂ＿ｊでノイズを低減するか否か判定する（ステップＳ３０４）。
【０１５６】
判定部４２ｂ＿ｊがノイズ低減処理部５０ｂ＿ｊでノイズを低減すると判定した場合、信号選択部５２＿ｊは、ノイズ低減後の画像信号を選択する（ステップＳ３０５）。一方、判定部４２ｂ＿ｊがノイズ低減処理部５０ｂ＿ｊでノイズを低減しないと判定した場合、信号選択部５２＿ｊは、ノイズの低減前の画像信号を選択する（ステップＳ３０６）。
【０１５７】
次に、雑音低減部１２ｂは、全てのノイズ低減処理部５０ｂ＿ｊでノイズ低減処理したか否か判定する（ステップＳ３０７）。全てのノイズ低減処理部５０ｂ＿ｊでノイズ低減処理していないと判定した場合、雑音低減部１２ｂは、ｊを１増やし（ステップＳ３０８）、ステップＳ３０２に処理に戻る。
一方、全てのノイズ低減処理部５０ｂ＿ｊでノイズ低減処理したと判定した場合、雑音低減部１２ｂは、その処理を終了する。以上で、本フローチャートの処理を終了する。
【０１５８】
以上、第２の実施形態の雑音低減部１２ｂは、ノイズ低減ユニット１００＿ｊ毎にノイズ量を検出し、検出したノイズ量に基づいて、画像信号のノイズを低減するか否か判定した。そして、雑音低減部１２ｂは、判定結果に基づいて、ノイズ低減後の信号とノイズ低減前の信号とのうちから一の信号を選択する。
【０１５９】
これにより、雑音低減部１２ｂは、画像信号に基づいて、ノイズ量を検出し、検出したノイズ量が予め決められた閾値より高い場合、ノイズ低減を行う。そして、雑音低減部１２ｂは、ノイズ低減を行った後の信号であるノイズ低減後信号に基づいて、ノイズ量を検出する。雑音低減部１２ｂは、ノイズ低減後信号に基づいて検出したノイズ量が予め決められた閾値より少なくなった場合にそれ以上ノイズ低減を行わない。これにより、雑音低減部１２ｂは、ノイズを低減することによる高周波成分の損失を軽減することができるので、画像のぼけを軽減することができる。
【０１６０】
よって、雑音低減部１２ａは、画像のぼけを防ぎつつ、画像に含まれるノイズを低減することができる。その結果、表示装置１０ａは、ぼけが少なく、ノイズが少ない画像を表示できるので、視聴者に見易い映像を提供することができる。
【０１６１】
続いて、図２４〜図２６を用いて、第２の実施形態におけるノイズ低減処理の効果について説明する。ここでは、第２の実施形態における雑音低減部１２ｂによるノイズ低減処理の結果の一例を示すが、  第１及び後述する第３の実施形態における雑音低減部（１２ａ、１２ｃ）でノイズ低減処理した場合にも、同様の結果が得られる。
図２４は、ノイズ低減処理部５０ｂ＿ｊの段数が６段かつノイズ量が中程度の場合において、第２の実施形態におけるノイズ低減処理の効果について説明するための図である。同図において、ＮＲ処理前の画像Ｆ２４１と、全６段でのＮＲ処理後の画像Ｆ２４２と、本実施形態のＮＲ処理（５段）後の画像Ｆ２４３とが示されている。
【０１６２】
全６段でのＮＲ処理後の画像Ｆ２４２は、ノイズ低減部５１ｂ＿ｊを６段直列に繋げた装置が、ＮＲ処理前の画像Ｆ２４１に対し６段のノイズ低減処理が施すことにより得られた画像である。
本実施形態のＮＲ処理（５段）後の画像Ｆ２４３は、ＮＲ処理前の画像Ｆ２４１に対し、最初の５つのノイズ低減処理部（５０ｂ＿１〜５０ｂ＿５）がノイズ低減し、残り１つのノイズ低減処理部５０ｂ＿６がノイズ低減しないことで得られた画像である。これは、判定部４２ｂ＿６がノイズ低減しないと判定したことによるものである。
【０１６３】
全６段でのＮＲ処理後の画像Ｆ２４２は、ノイズが消えているが、画像がぼけている。一方、ＮＲ処理（５段）後の画像Ｆ２４３は、ノイズが消え、画像のぼけも全６段でのＮＲ処理後の画像Ｆ２４２より少ない。これにより、画像に含まれるノイズ量が中程度の場合、ノイズ低減部を６段直列に繋げた場合よりも、第２の実施形態の雑音低減部１２ｂは、画像のぼけを防ぎつつ、ノイズを低減することができる。
【０１６４】
図２５は、ノイズ低減処理部５０ｂ＿ｊの段数が６段かつノイズ量が多い場合において、第２の実施形態におけるノイズ低減処理の効果について説明するための図である。同図において、ＮＲ処理前の画像Ｆ２５１と、全６段でのＮＲ処理後の画像Ｆ２５２と、本実施形態のＮＲ処理（６段）後の画像Ｆ２５３とが示されている。
【０１６５】
全６段でのＮＲ処理後の画像Ｆ２５２は、ノイズ低減部５１ｂ＿ｊを６段直列に繋げた装置が、ＮＲ処理前の画像Ｆ２５１に対し６段のノイズ低減処理が施すことにより得られた画像である。
本実施形態のＮＲ処理（６段）後の画像Ｆ２５３は、ＮＲ処理前の画像Ｆ２５１に対し、全てのノイズ低減処理部（５０ｂ＿１〜５０ｂ＿６）がノイズ低減することで得られた画像である。
【０１６６】
全６段でのＮＲ処理後の画像Ｆ２４２は、ノイズが消えているが、画像がぼけている。同様に、ＮＲ処理（６段）後の画像Ｆ２４３は、ノイズが消えているが、画像がぼけている。このように、画像に含まれるノイズ量が多い場合、本実施形態の雑音低減部（１２ａ、１２ｂ）は、全６段のノイズ低減処理を行うので、ノイズ低減部を６段直列に繋げた場合と同じ画像が得られる。その場合、ノイズが少なくなるが、画像がぼけることがある。
【０１６７】
図２６は、ノイズ低減処理部５０ｂ＿ｊの段数が６段かつノイズ量が少ない場合において、第１および第２の実施形態におけるノイズ低減処理の効果について説明するための図である。同図において、ＮＲ処理前の画像Ｆ２６１と、全６段でのＮＲ処理後の画像Ｆ２６２と、本実施形態のＮＲ処理（２段）後の画像Ｆ２６３とが示されている。
【０１６８】
全６段でのＮＲ処理後の画像Ｆ２５２は、ノイズ低減部５１ｂ＿ｊを６段直列に繋げた装置が、ＮＲ処理前の画像Ｆ２６１に対し６段のノイズ低減処理が施すことにより得られた画像である。
本実施形態のＮＲ処理（２段）後の画像Ｆ２６３は、ＮＲ処理前の画像Ｆ２５１に対し、雑音低減部１２ｂが、最初の二つのノイズ低減処理部（５０ｂ＿１及び５０ｂ＿２）がノイズ低減し、残りの４つのノイズ低減処理部（５０ｂ＿３〜５０ｂ＿６）がノイズ低減しないことで得られた画像である。これは、判定部（４２ｂ＿３〜４２ｂ＿６）がノイズ低減しないと判定したことによるものである。
【０１６９】
全６段でのＮＲ処理後の画像Ｆ２６２は、ノイズが消えているが、画像がぼけている。一方、本実施形態のＮＲ処理（２段）後の画像Ｆ２６３は、ノイズが消え、画像のぼけも全６段でのＮＲ処理後の画像Ｆ２６２より少ない。
これにより、画像に含まれるノイズ量が少ない場合、ノイズ低減部５１ｂ＿ｊを６段直列に繋げた場合よりも、本実施形態の雑音低減部１２ｂは、画像のぼけを防ぎつつ、ノイズを低減することができる。
【０１７０】
＜第３の実施形態＞  
次に、本発明の第３の実施形態について説明する。図２７は、第３の実施形態における表示装置１０ｃの概略ブロック図である。なお、図１と共通する要素には同一の符号を付し、その具体的な説明を省略する。図２７の表示装置１０ｃの構成は、図１の表示装置１０ａの構成に対して、雑音低減部１２ａが、雑音低減部１２ｃに変更されたものとなっている。
【０１７１】
図２８は、第３の実施形態における雑音低減部１２ｃの概略ブロック図である。雑音低減部１２ｃは、ノイズ量検出部３０＿ｃと、判定処理部４０ｃと、ノイズ低減処理部５０ｃ＿１、…、５０ｃ＿ＬまでのＬ（Ｌは２以上の整数）個のノイズ低減処理部５０ｃ＿ｋ（ｋは１からＬまでの整数）を備える。
【０１７２】
ノイズ量検出部３０＿ｃは、受信部１１から供給された映像信号ＳＩＮに含まれるノイズ量を検出し、検出により得られた検出ノイズ量を示す信号を判定処理部４０ｃと各ノイズ低減処理部５０ｃ＿ｋへ供給する。
具体的には、例えば、ノイズ量検出部３０＿ｃは、第１の実施形態のノイズ量検出部３０と同様の処理で、検出ノイズ量の一つとしてフレーム間ノイズ量α＿Ｆを検出し、検出したフレーム間ノイズ量α＿Ｆを示す信号を判定処理部４０ｃに供給する。また、一例として、ノイズ量検出部３０＿ｃは、フレーム間ノイズ量α＿Ｆを示す信号をノイズ低減処理部５０ｃ＿１へ供給する。
【０１７３】
また、一例として、ノイズ量検出部３０＿ｃは、第１の実施形態のノイズ量検出部３０と同様の処理で、検出ノイズ量の一つとしてフレーム内水平ノイズ量α＿Ｈを検出し、検出したフレーム内水平ノイズ量α＿Ｈを示す信号を判定処理部４０ｃとインデックスｋが２以上の偶数であるノイズ低減処理部５０ｃ＿ｋへ供給する。
【０１７４】
また、一例として、ノイズ量検出部３０＿ｃは、第１の実施形態のノイズ量検出部３０と同様の処理で、検出ノイズ量の一つとしてフレーム内垂直ノイズ量α＿Ｖを検出し、検出したフレーム内垂直ノイズ量α＿Ｖを示す信号を判定処理部４０ｃ、インデックスｋが３以上の奇数であるノイズ低減処理部５０ｃ＿ｋへ供給する。
【０１７５】
判定処理部４０ｃは、ノイズ量検出部３０＿ｃから供給された検出ノイズ量を示す信号に基づいて、ノイズ低減処理部５０ｃ＿ｋ毎に、ノイズ量α＿ｋを生成する。そして、ノイズ量検出部３０＿ｃは、算出したノイズ量α＿ｋを示す信号を、それぞれ対応するノイズ低減処理部５０ｃ＿ｋに供給する。具体的には、例えば、ノイズ量検出部３０＿ｃは、算出したノイズ量α＿１を示す信号を、ノイズ低減処理部５０ｃ＿１に供給する。
【０１７６】
ノイズ低減処理部５０ｃ＿１は、判定処理部４０ｃから供給されたノイズ量α＿１を示す信号に基づいて、受信部１１から供給された映像信号ＳＩＮに対してノイズ低減処理を行う。そして、ノイズ低減処理部５０ｃ＿１は、ノイズ低減処理後の信号を、次段のノイズ低減処理部５０ｃ＿２に供給する。
【０１７７】
ノイズ低減処理部５０ｃ＿ｋ（ここでは、ｋは１からＮ−１までの整数）は、判定処理部４０ｃから供給されたノイズ量α＿ｋを示す信号に基づいて、前段のノイズ低減処理部５０ｃ＿（ｋ−１）から供給された信号に対して、ノイズ低減処理を行う。そして、ノイズ低減処理部５０ｃ＿ｋは、ノイズ低減処理後の信号を、次段のノイズ低減処理部５０ｃ＿（ｋ＋１）に供給する。
【０１７８】
ノイズ低減処理部５０ｃ＿Ｎは、判定処理部４０ｃから供給されたノイズ量α＿Ｎを示す信号に基づいて、前段のノイズ低減処理部５０ｃ＿（Ｎ−１）から供給された信号に対して、ノイズ低減処理を行う。そして、ノイズ低減処理部５０ｃ＿Ｎは、ノイズ低減処理後の信号を、雑音低減信号ＳＯＵＴとして画像調整部１３へ供給する。
【０１７９】
図２９は、第３の実施形態におけるノイズ量検出部３０ｃの概略ブロック図である。なお、図４と共通する要素には同一の符号を付し、その具体的な説明を省略する。図２９のノイズ量検出部３０ｃの構成は、図４のノイズ量検出部３０の構成に対して、フレーム間  ノイズ量検出部３２が、フレーム間ノイズ量検出部３２ｃに変更されたものとなっている。
【０１８０】
フレーム間ノイズ量検出部３２ｃは、第１の実施形態のフレーム間ノイズ量検出部３２同様の処理で、フレーム間ノイズ量α＿Ｆを算出し、算出したフレーム間ノイズ量α＿Ｆを示す信号を判定処理部４０ｃに供給する。フレーム間ノイズ量検出部３２ｃは、第１の実施形態のフレーム間ノイズ量検出部３２と異なり、フレーム間ノイズ量α＿Ｆをノイズ低減処理部５０ｃ＿ｋへ供給しない。
【０１８１】
図３０は、第３の実施形態における判定処理部４０ｃの概略ブロック図の一例である。なお、図９と共通する要素には同一の符号を付し、その具体的な説明を省略する。図３０の判定処理部４０ｃの構成は、図９の判定処理部４０の構成に対して、判定部４２＿１、…、４２＿Ｎが、判定部４２ｃ＿１、…、４２ｃ＿Ｌに変更されたものとなっている。
【０１８２】
記憶部４１には、ノイズ低減処理部５０ｃ＿ｋ毎（あるいは判定部４２ｃ＿ｋ毎）に予め決められた上閾値ＴＨ＿ｋとその上閾値ＴＨ＿ｋから下閾値ＴＬ＿ｋを引いた差分Ｄｉｆ（ｋに寄らず一定で、例えば３ビット信号で“００１”）とが記憶されている。
判定部４２ｃ＿ｋは、ノイズ低減処理部５０ｃ＿ｋ毎（あるいは判定部４２ｃ＿ｋ毎）に予め決められた上閾値ＴＨ＿ｋと差分Ｄｉｆとを、記憶部４１から読み出す。判定部４２ｃ＿ｋは、ノイズ量検出部３０ｃから供給された検出ノイズ量を示す信号と上閾値ＴＨ＿ｋと差分Ｄｉｆとに基づいて、ノイズ量選択信号Ｓ＿ｋを生成する。
【０１８３】
具体的には、判定部４２ｃ＿ｋは、第１の実施形態の判定部４２＿ｋと同様の処理で、上閾値ＴＨ＿ｋと差分Ｄｉｆとから、下閾値ＴＬ＿ｋを算出し、上閾値ＴＨ＿ｋと下閾値ＴＬ＿ｋのうちから、閾値ＴＨ＿ｋを選択する。
そして、判定部４２ｃ＿ｋは、検出ノイズ量を示す信号が示すノイズ量が閾値ＴＨ＿ｋ以上の場合、ノイズ量選択信号Ｓ＿１を１とし、ノイズ量が閾値ＴＨ＿ｋ未満の場合、ノイズ量選択信号Ｓ＿１を０とする。
【０１８４】
具体的には、例えば、判定部４２ｃ＿１は、フレーム間ノイズ量検出部３２ｃから供給されたフレーム間ノイズ量α＿Ｆが、閾値ＴＨ＿１以上である場合、ノイズ量選択信号Ｓ＿１を１とする。一方、判定部４２ｃ＿１は、そのフレーム間ノイズ量α＿Ｆが、閾値ＴＨ＿１以上である場合、ノイズ量選択信号Ｓ＿１を１とする。
【０１８５】
また、例えば、判定部４２ｃ＿２は、フレーム内水平ノイズ量検出部３３から供給されたフレーム内水平ノイズ量α＿Ｈが、閾値ＴＨ＿２以上である場合、ノイズ量選択信号Ｓ＿２を１とする。一方、判定部４２ｃ＿２は、そのフレーム内水平ノイズ量α＿Ｈが、閾値ＴＨ＿２以上である場合、ノイズ量選択信号Ｓ＿２を１とする。
【０１８６】
また、例えば、判定部４２ｃ＿３は、フレーム内垂直ノイズ量検出部３４から供給されたフレーム内垂直ノイズ量α＿Ｖが、閾値ＴＨ＿３以上である場合、ノイズ量選択信号Ｓ＿３を１とする。一方、判定部４２ｃ＿３は、そのフレーム内水平ノイズ量α＿Ｖが、閾値ＴＨ＿３以上である場合、ノイズ量選択信号Ｓ＿３を１とする。
【０１８７】
また、例えば、Ｌが２以上の偶数の場合、判定部４２ｃ＿Ｎは、フレーム内水平ノイズ量検出部３３から供給されたフレーム内水平ノイズ量α＿Ｈが、閾値ＴＨ＿Ｎ以上である場合、ノイズ量選択信号Ｓ＿Ｎを１とする。一方、判定部４２ｃ＿Ｎは、そのフレーム内水平ノイズ量α＿Ｈが、閾値ＴＨ＿Ｎ以上である場合、ノイズ量選択信号Ｓ＿Ｎを１とする。
【０１８８】
また、例えば、Ｌが３以上の奇数の場合、判定部４２ｃ＿Ｎは、フレーム内垂直ノイズ量検出部３４から供給されたフレーム内垂直ノイズ量α＿Ｖが、閾値ＴＨ＿Ｎ以上である場合、ノイズ量選択信号Ｓ＿Ｎを１とする。一方、判定部４２ｃ＿Ｎは、そのフレーム内水平ノイズ量α＿Ｖが、閾値ＴＨ＿Ｎ以上である場合、ノイズ量選択信号Ｓ＿Ｎを１とする。
【０１８９】
判定部４２ｃ＿ｋは、生成したノイズ量選択信号Ｓ＿ｋを対応するノイズ低減処理部５０ｃ＿ｋに供給する。
以上の処理をまとめると、判定部４２ｃ＿ｋは、ノイズ量検出部が検出したノイズ量に基づいて、ノイズ低減処理部５０ｃ＿ｋ毎にノイズ低減するか否かを判定する。そして、判定部４２ｃ＿ｋは、判定結果であるノイズ量選択信号Ｓ＿ｋを対応するノイズ低減処理部５０ｃ＿ｋに供給する。
【０１９０】
図３１は、第３の実施形態におけるノイズ低減処理部５０ｃ＿ｋの概略ブロック図である。ノイズ低減処理部５０ｃ＿ｋは、ノイズ量選択部６１＿ｋと、ノイズ低減部５１ｃ＿ｋとを備える。
【０１９１】
第１の実施形態において、各ノイズ低減処理部５０＿ｉは、ノイズ低減した画像信号とノイズ低減していない画像信号とのうち、いずれか一つの信号を対応する判定部４２＿ｉの判定結果によって選択した。一方、本実施形態では、各ノイズ低減処理部５０ｃ＿ｋは、対応するノイズ低減部５１ｃ＿ｋがノイズ低減する際のノイズ量を、対応する判定部４２ｃ＿ｋの判定結果に基づいて決定する。
【０１９２】
より詳細には、ノイズ量選択部６１＿ｋは、判定部４２ｃ＿ｋから供給されたノイズ量選択信号Ｓ＿ｋに基づいて、ノイズ量検出部３０ｃから供給されたノイズ量を示す信号と０を示す信号とのうち一の信号を選択する。具体的には、例えば、ノイズ量選択部６１＿ｋは、ノイズ量選択信号Ｓ＿ｋが１の場合、ノイズ量検出部３０ｃから供給されたノイズ量を示す信号を選択し、ノイズ量選択信号Ｓ＿ｋが０の場合、０を示す信号を選択する。
【０１９３】
例えば、ノイズ量選択部６１＿１は、ノイズ量選択信号Ｓ＿ｋが１の場合、フレーム間ノイズ量検出部３２ｃから供給されたフレーム間ノイズ量α＿Ｆを示す信号を選択し、ノイズ量選択信号Ｓ＿ｋが０の場合、０を示す信号を選択する。
また、例えば、ノイズ量選択部６１＿２は、ノイズ量選択信号Ｓ＿ｋが１の場合、フレーム内水平ノイズ量検出部３３から供給されたフレーム内水平ノイズ量α＿Ｈを示す信号を選択し、ノイズ量選択信号Ｓ＿ｋが０の場合、０を示す信号を選択する。
また、例えば、ノイズ量選択部６１＿３は、ノイズ量選択信号Ｓ＿ｋが１の場合、フレーム内垂直ノイズ量検出部３４から供給されたフレーム内垂直ノイズ量α＿Ｖを示す信号を選択し、ノイズ量選択信号Ｓ＿ｋが０の場合、０を示す信号を選択する。
【０１９４】
また、例えば、Ｌが２以上の偶数の場合、ノイズ量選択部６１＿Ｌは、ノイズ量選択信号Ｓ＿ｋが１の場合、フレーム内水平ノイズ量検出部３３から供給されたフレーム内水平ノイズ量α＿Ｈを示す信号を選択し、ノイズ量選択信号Ｓ＿ｋが０の場合、０を示す信号を選択する。
また、例えば、Ｌが２以上の奇数の場合、ノイズ量選択部６１＿Ｌは、ノイズ量選択信号Ｓ＿ｋが１の場合、フレーム内垂直ノイズ量検出部３４から供給されたフレーム内垂直ノイズ量α＿Ｖを示す信号を選択し、ノイズ量選択信号Ｓ＿ｋが０の場合、０を示す信号を選択する。
そして、ノイズ量選択部６１＿ｋは、選択した信号を、ノイズ量α＿ｋを信号として対応するノイズ低減部５１ｃ＿ｋに供給する。
【０１９５】
これにより、判定部４２ｃ＿ｋは、検出ノイズ量が閾値ＴＨ＿ｋ以上ならば、ノイズ量検出部３０ｃから供給された検出ノイズ量をそのままノイズ低減部５１ｃ＿ｋに与え、閾値ＴＨ＿ｋ未満ならば、ノイズ低減部５１ｃ＿ｋに０を与えることができる。その結果、ノイズ量が０の場合、ノイズ低減部５１ｃ＿ｋは、入力信号に対して０を加減算するので、ノイズ低減を行わなかった場合と同じ信号を生成することになる。
すなわち、判定部４２ｃ＿ｋは、検出ノイズ量が閾値ＴＨ＿ｋ未満の場合、ノイズ量α＿ｋとして０を示す信号を出力することにより、ノイズ低減部５１ｃ＿ｋがノイズ低減を行わないようにすることができる。
【０１９６】
続いて、ノイズ低減部５１ｃ＿ｋは、ノイズ量選択部６１＿ｋから供給されたノイズ量α＿ｋを示す信号に基づいて、前段のノイズ低減処理部５０ｃ＿（ｋ−１）のノイズ低減部５１ｃ＿（ｋ−１）から供給された信号のノイズを低減する。
【０１９７】
具体的には、ノイズ量α＿ｋが０より大きい場合、ノイズ低減部５１ｃ＿ｋは、前段のノイズ低減処理部５０ｃ＿（ｋ−１）から供給された信号に対してノイズ量α＿ｋでノイズ低減を行うことにより、ノイズ低減後の信号を生成する。一方、ノイズ量α＿ｋが０を示す場合、ノイズ低減部５１ｃ＿ｋは、前段のノイズ低減処理部５０ｃ＿（ｋ−１）から供給された信号に対してノイズ量が０でノイズ低減を行うことにより、ノイズ低減を行わなかった場合と同じ信号を生成する。
そして、ノイズ低減部５１ｃ＿ｋは、生成した信号を後段のノイズ低減処理部５０ｃ＿（ｋ＋１）のノイズ低減部５１ｃ＿（ｋ＋１）へ供給する。
【０１９８】
続いて、ノイズ低減部５１ｃ＿ｋのそれぞれの処理の一例を説明する。
一例として、ノイズ低減部５１ｃ＿１は、ノイズ量選択部６１＿１から供給されたノイズ量α＿１を示す信号に基づいて、受信部１１から供給された映像信号ＳＩＮのフレーム間ノイズを低減する。そして、ノイズ低減部５１ｃ＿１は、フレーム間ノイズ低減後の信号をノイズ低減部５１ｃ＿２へ供給する。
また、一例として、ノイズ低減部５１ｃ＿２は、ノイズ量選択部６１＿２から供給されたノイズ量α＿２を示す信号に基づいて、受信部１１から供給された映像信号ＳＩＮのフレーム内水平ノイズを低減する。そして、ノイズ低減部５１ｃ＿２は、フレーム内水平ノイズ低減後の信号をノイズ低減部５１ｃ＿３へ供給する。
【０１９９】
また、一例として、ノイズ低減部５１ｃ＿３は、ノイズ量選択部６１＿３から供給されたノイズ量α＿３を示す信号に基づいて、受信部１１から供給された映像信号ＳＩＮのフレーム内垂直ノイズを低減する。そして、ノイズ低減部５１ｃ＿３は、フレーム内垂直ノイズ低減後の信号をノイズ低減部５１ｃ＿４へ供給する。
【０２００】
また、一例として、Ｌが２以上の偶数の場合、ノイズ低減部５１ｃ＿Ｌは、ノイズ量選択部６１＿Ｌから供給されたノイズ量α＿Ｌを示す信号に基づいて、受信部１１から供給された映像信号ＳＩＮのフレーム内水平ノイズを低減する。そして、ノイズ低減部５１ｃ＿Ｌは、フレーム内水平ノイズ低減後の信号を画像調整部１３へ供給する。
一方、一例として、Ｌが２以上の奇数の場合、ノイズ低減部５１ｃ＿Ｌは、ノイズ量選択部６１＿Ｌから供給されたノイズ量α＿Ｌを示す信号に基づいて、受信部１１から供給された映像信号ＳＩＮのフレーム内垂直ノイズを低減する。そして、ノイズ低減部５１ｃ＿Ｌは、フレーム内垂直ノイズ低減後の信号を画像調整部１３へ供給する。
【０２０１】
第３の実施形態における表示装置１０ｃの処理の流れは、図１７に示した第１の実施形態における表示装置１０ａの処理の流れと同一であるので、その説明を省略する。
図３２は、第３の実施形態において、図１７のステップＳ１０２の雑音低減処理の流れを示したフローチャートである。図３２では、雑音低減部１２ｃが、映像信号ＳＩＮのうち１フレームの画像についてノイズ低減する処理について説明する。
【０２０２】
図３２のステップＳ４０１からステップＳ４０３までの処理は、図１８のステップＳ２０１からステップＳ２０３までの処理と同一であるので、その説明を省略する。
次に、雑音低減部１２ｃはインデックスｋを初期化する（ステップＳ４０４）。次に、判定部４２ｃ＿ｉは、ノイズ量検出部３０ｃが検出した検出ノイズ量が閾値ＴＨ＿ｋ以上か否か判定する（ステップＳ４０５）。検出ノイズ量が閾値ＴＨ＿ｋ以上である場合（ステップＳ４０５  ＹＥＳ）、ノイズ量選択部６１＿ｋは、当該検出ノイズ量をノイズ量α＿ｋとして選択する（ステップＳ４０６）。一方、検出ノイズ量が閾値ＴＨ＿ｋ未満である場合（ステップＳ４０５  ＮＯ）、ノイズ量選択部６１＿ｋは、０をノイズ量α＿ｋとして選択する（ステップＳ４０７）。
【０２０３】
次に、ノイズ低減部５１ｃ＿ｋは、選択したノイズ量α＿ｋを用いて、ノイズ低減する。（ステップＳ４０８）。次に、雑音低減部１２ｃは全てのノイズ低減処理部５０ｃ＿ｋで処理したか否か判定する（ステップＳ４０９）。全てのノイズ低減処理部５０ｃ＿ｋで処理していない場合、雑音低減部１２ｃはｋを１増やし（ステップＳ４１０）、ステップＳ４０５の処理に戻る。
一方、全てのノイズ低減処理部５０ｃ＿ｋで処理した場合、その処理を終了する。以上で、本フローチャートの処理を終了する。
【０２０４】
以上、本実施形態において、ノイズ量選択部６１＿ｋは、判定部４２ｃ＿ｋがした判定結果に基づいて、ノイズ量検出部３０ｃが検出したノイズ量を示す信号と０を示す信号のうちいずれかの信号を選択する。そして、ノイズ低減部５１ｃ＿ｋはノイズ量選択部６１＿ｋが選択した信号に基づいて、前段のノイズ低減処理部が処理した信号に対してノイズ低減する。
具体的には、ノイズ量検出部３０ｃが検出した検出ノイズ量が閾値ＴＨ＿ｋ以上の場合、ノイズ低減部５１ｃ＿ｋは当該検出ノイズ量を用いてノイズ低減を行い、検出ノイズ量が閾値ＴＨ＿ｋ未満の場合、ノイズ低減部５１ｃ＿ｋは０を用いてノイズ低減を行う。
これにより、ノイズ低減部５１ｃ＿ｋは０を用いてノイズ低減を行った場合、ノイズ低減を行わなかった場合と同一の信号（すなわちノイズ低減部５１ｃ＿ｋに供給された信号）が得ることができる。
【０２０５】
すなわち、本実施形態のノイズ低減部５１ｃ＿ｋは、検出ノイズ量が閾値ＴＨ＿ｋ以上の場合にノイズ低減後の信号を生成し、検出ノイズ量が閾値ＴＨ＿ｋ未満の場合、ノイズ低減を行わなかった場合と同一の信号を生成する。
【０２０６】
その結果、雑音低減部１２ｃは、元の画像信号から検出されたノイズ量が閾値より少ない場合には、画像信号からノイズを低減しないので、ノイズを低減することにより失われる高周波成分を軽減することができ、画像信号によって表される画像のぼけを防ぐことができる。その結果、表示装置１０ｃは、ぼけていない画像を表示することができるので、視聴者に見易い映像を提供することができる。
【０２０７】
雑音低減部１２ｃは、元の画像信号から検出されたノイズ量が閾値より多い場合、画像信号からノイズを低減する。そして、雑音低減部１２ｃは、ノイズ低減後の画像に含まれるノイズ量が閾値未満になった場合には、それ以上ノイズを低減しないことで、ノイズを低減することにより失われる高周波成分を軽減することができる。
【０２０８】
よって、雑音低減部１２ｃは、画像のぼけを防ぎつつ、画像に含まれるノイズを低減することができる。その結果、表示装置１０ｃは、ぼけを防ぎつつ、ノイズが少ない画像を表示できるので、視聴者に見易い映像を提供することができる。
【０２０９】
なお、各実施形態では、一例として、インデックス（ｉ、ｊ又はｋ）が２以上の偶数の場合、ノイズ低減処理部（５０＿ｉ、５０ｂ＿ｊ又は５０ｃ＿ｋ）がフレーム内水平ノイズを低減し、インデックス（ｉ、ｊ又はｋ）が２以上の奇数の場合、ノイズ低減処理部（５０＿ｉ、５０ｂ＿ｊ又は５０ｃ＿ｋ）がフレーム内垂直ノイズを低減したが、これに限ったものではない。本実施形態の順番とは逆に、インデックス（ｉ、ｊ又はｋ）が２以上の偶数の場合、ノイズ低減処理部（５０＿ｉ、５０ｂ＿ｊ又は５０ｃ＿ｋ）がフレーム内垂直ノイズを低減し、インデックス（ｉ、ｊ又はｋ）が２以上の奇数の場合、ノイズ低減処理部（５０＿ｉ、５０ｂ＿ｊ又は５０ｃ＿ｋ）がフレーム内水平ノイズを低減してもよい。
【０２１０】
また、ノイズ低減処理部（５０＿ｉ、５０ｂ＿ｊ又は５０ｃ＿ｋ）は、フレーム内水平ノイズとフレーム内垂直ノイズとを交互に低減したが、これに限ったものではなく、その順序は、連続していてもよい。
また、ノイズ低減処理部（５０＿ｉ、５０ｂ＿ｊ又は５０ｃ＿ｋ）が、インデックス（ｉ、ｊ又はｋ）が１の場合にのみ、フレーム間ノイズ量を低減したが、これに限らず、インデックス（ｉ、ｊ又はｋ）が２以上の場合にも、フレーム間ノイズを低減してもよい。また、インデックス（ｉ、ｊ又はｋ）が１の代わりに、インデックス（ｉ、ｊ又はｋ）が２以上の場合にフレーム間ノイズを低減してもよい。
【０２１１】
なお、各実施形態において、雑音低減部（１２ａ、１２ｂ又は１２ｃ）を表示装置（１０ａ、１０ｂ又は１０ｃ）の一部材として説明したが、これに限らず、雑音低減部（１２ａ、１２ｂ又は１２ｃ）を雑音低減装置という一つの単独の装置で実現してもよい。
【０２１２】
また、本実施形態の雑音低減部（１２ａ、１２ｂ又は１２ｃ）の各処理を実行するためのプログラムをコンピュータ読み取り可能な記録媒体に記録して、当該記録媒体に記録されたプログラムをコンピュータシステムに読み込ませ、実行することにより、雑音低減部（１２ａ、１２ｂ又は１２ｃ）に係る上述した種々の処理を行ってもよい。
【０２１３】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０２１４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０２１５】
以上、本発明の実施形態について図面を参照して詳述したが、具体的な構成はこの実施形態に限られるものではなく、この発明の要旨を逸脱しない範囲の設計等も含まれる。
【符号の説明】
【０２１６】
１０ａ、１０ｂ  表示装置
１１  受信部
１２ａ、１２ｂ、１２ｃ  雑音低減部
１３  画像調整部
１４  タイミング制御部
１５  ソースドライバ部
１６  ゲートドライバ部
１７  液晶パネル部
２０  液晶表示部
３０、３０ｂ＿１、…、３０ｂ＿Ｍ、３０ｃ  ノイズ量検出部
３１  一時記憶部
３２、３２ｃ  フレーム間ノイズ量検出部
３３  フレーム内水平ノイズ量検出部
３４  フレーム内垂直ノイズ量検出部
４０、４０ｂ、４０ｃ  判定処理部
４１、４１ｂ＿ｊ  記憶部
４２＿１、…、４２＿Ｎ、４２ｂ＿１…、４２ｂ＿Ｍ、４２ｃ＿１…、４２ｃ＿Ｌ  判定部
４２Ｅ  拡張部
４３  第1の比較部
４４  減算部
４５  第１の選択部
４６  第２の選択部
４７  第２の比較部
４８  第３の選択部
４９  一時記憶部
５０＿１、…、５０＿Ｎ、５０ｃ＿１、…、５０ｃ＿Ｌ  ノイズ低減処理部
５１＿ｉ、５１ｂ＿ｊ  ノイズ低減部
５２＿ｉ、５２＿ｊ  信号選択部
６１＿１、…、６１＿Ｌ  ノイズ量選択部
１００＿１、…、１００＿Ｍ  ノイズ低減ユニット
【図１】
2014225716.tif 000003
【図２】
2014225716.tif 000004
【図３】
2014225716.tif 000005
【図４】
2014225716.tif 000006
【図５】
2014225716.tif 000007
【図６】
2014225716.tif 000008
【図７】
2014225716.tif 000009
【図８】
2014225716.tif 000010
【図９】
2014225716.tif 000011
【図１０】
2014225716.tif 000012
【図１１】
2014225716.tif 000013
【図１２】
2014225716.tif 000014
【図１３】
2014225716.tif 000015
【図１４】
2014225716.tif 000016
【図１５】
2014225716.tif 000017
【図１６】
2014225716.tif 000018
【図１７】
2014225716.tif 000019
【図１８】
2014225716.tif 000020
【図１９】
2014225716.tif 000021
【図２０】
2014225716.tif 000022
【図２１】
2014225716.tif 000023
【図２２】
2014225716.tif 000024
【図２３】
2014225716.tif 000025
【図２７】
2014225716.tif 000026
【図２８】
2014225716.tif 000027
【図２９】
2014225716.tif 000028
【図３０】
2014225716.tif 000029
【図３１】
2014225716.tif 000030
【図３２】
2014225716.tif 000031
【図２４】
2014225716.tif 000032
【図２５】
2014225716.tif 000033
【図２６】
2014225716.tif 000034